【事件の表示】
　特許第３２０００７１号「ローションを付された脚部カフスを有する吸収製品」の請求項１〜４１に係る特許に対する特許異議の申立てについて，次のとおり決定する。
【結　論】
　訂正を認める。
　特許第３２０００７１号の請求項１〜４１に係る特許を維持する。
【理　由】
１　手続の経緯
　特許第３２０００７１号の請求項１〜４１に係る発明についての特許出願は，平成9年12月3日に出願(国際出願による。優先権主張：1996年12月3日(米国))がなされ，平成13年6月15日にその特許の設定登録がされ，その後，山林和子より特許異議の申立てがされ，取消理由が通知され，その指定期間内である平成14年11月14日に明細書の訂正が請求されたものである。
　
２．訂正の適否についての判断
(1) 訂正事項
(a) 訂正事項１
　請求項１を，
「２つの縦側サイドエッジを有する吸収製品であって，
　Ａ) バックシート，
　Ｂ) 前記バックシートに結合する液体透過性トップシート，
　Ｃ) 前記トップシートと前記バックシートとの間に位置する吸収性コア，および
　Ｄ) ２つの前記縦側サイドエッジのそれぞれに隣接して配置される液体不透過性バリヤ脚部カフス
を備え，
　前記バリヤ脚部カフスのそれぞれは，前記吸収製品の前記縦側サイドエッジに隣接して固着される近位端および前記吸収製品の少なくとも一部に固定されない遠位端を有し，前記吸収製品が着用されるとき，前記バリヤ脚部カフスのそれぞれは，前記吸収製品の内部に向かって配向する内側表面および着用者の皮膚に向かって配向する外側表面を有し，前記バリヤ脚部カフスの外側表面または内側表面の少なくとも一部に，着用者の皮膚に少なくとも部分的に移行可能である有効量のローションコーティングが配置され，
　前記ローションコーティングは，疎水性であって，かつ
　(i) 石油系エモリエント，脂肪酸エステルエモリエント，アルキルエトキシレートエモリエント，脂肪酸エステルエトキシレートエモリエント，脂肪アルコールエモリエント，ポリシロキサンエモリエントおよびそれらの混合物からなる群より選択される成員を含むエモリエント剤10〜95％，および
　(ii) バリヤ脚部カフスの前記外側表面または前記内側表面上に前記エモリエントを固定することが可能な固定化剤であって，ポリヒドロキシ脂肪酸エステル，ポリヒドロキシ脂肪酸アミド，Ｃ14〜Ｃ22脂肪アルコール，Ｃ12〜Ｃ22脂肪酸，Ｃ12〜Ｃ22脂肪アルコールエトキシレート，ワックスおよびそれらの混合物からなる群より選択される成員を含む固定化剤5〜90％
を含むことを特徴とする吸収製品。」
と訂正する。
　
(b) 訂正事項２
　請求項２６を，
「２つの縦側サイドエッジを有する吸収製品であって，
　Ａ) バックシート，
　Ｂ) 前記バックシートに結合する液体透過性トップシート，
　Ｃ) 前記トップシートと前記バックシートとの間に位置する吸収性コア，および
　D) ２つの前記縦側サイドエッジのそれぞれに隣接して配置される弾性的に収縮性の液体不透過性ガスケットカフス
を備え，
　前記ガスケットカフスは前記吸収製品の縦側サイドエッジから横に外側に伸び，前記ガスケット脚部カフスのそれぞれは，着用者の皮膚に向かって配向する前方表面および前記前方表面に対向する後方表面を有し，前記ガスケット脚部カフスの前方表面または後方表面の少なくとも一部はその上に，着用者の皮膚に少なくとも部分的に移行可能である有効量のローションコーティングを配置させており，前記ローションコーティングは，疎水性であって，かつ
　(i) 石油系エモリエント，脂肪酸エステルエモリエント，アルキルエトキシレートエモリエント，脂肪酸エステルエトキシレートエモリエント，脂肪アルコールエモリエント，ポリシロキサンエモリエントおよびそれらの混合物からなる群より選択される成員を含むエモリエント剤10〜95％，および
　(ii) ガスケット脚部カフスの前記前方表面または前記後方表面上に前記エモリエントを固定することが可能な固定化剤であって，ポリヒドロキシ脂肪酸エステル，ポリヒドロキシ脂肪酸アミド，Ｃ14〜Ｃ22脂肪アルコール，Ｃ12〜Ｃ22脂肪酸，Ｃ12〜Ｃ22脂肪アルコールエトキシレート，ワックスおよびそれらの混合物からなる群より選択される成員を含む固定化剤5〜90％
を含むことを特徴とする吸収製品。」
と訂正する。
　
(c) 訂正事項３
　請求項３８を，
「吸収製品であって，
　Ａ) バックシートおよび該バックシートに結合する液体透過性トップシートを備える外側カバー層，
　Ｂ) 前記トップシートと前記バックシートとの間に位置する吸収性コア，および
　前記外側カバー層に固定され，かつ吸収製品が着用されるとき，吸収製品の内部に向かって配向する内側表面と着用者の皮膚に向かって配向する外側表面を有する液体不透過性カフス
を備え，
　有効量のローションコーティングが前記カフス上に配置され，該ローションは着用者の皮膚に少なくとも部分的に移行可能であり，前記ローションコーティングは，疎水性であって，かつ
　(i) 石油系エモリエント，脂肪酸エステルエモリエント，アルキルエトキシレートエモリエント，脂肪酸エステルエトキシレートエモリエント，脂肪アルコールエモリエント，ポリシロキサンエモリエントおよびそれらの混合物からなる群より選択される成員を含むエモリエント剤10〜95％，および
　(ii) 前記カフス上に前記エモリエントを固定することが可能な固定化剤であって，ポリヒドロキシ脂肪酸エステル，ポリヒドロキシ脂肪酸アミド，Ｃ14〜Ｃ22脂肪アルコール，Ｃ12〜Ｃ22脂肪酸，Ｃ12〜Ｃ22脂肪アルコールエトキシレート，ワックスおよびそれらの混合物からなる群より選択される成員を含む固定化剤5〜90％
を含むことを特徴とする吸収製品。」
と訂正する。
　
(2) 訂正の目的の適否，新規事項の有無及び拡張・変更の存否
　上記訂正は，「バリヤ脚部カフス」を「液体不透過性バリヤ脚部カフス」と(訂正事項１)，「ガスケットカフス」を「液体不透過性ガスケットカフス」と(訂正事項２)及び「カフス」を「液体不透過性カフス」と(訂正事項３)それぞれ訂正するものであって，いずれも，特許請求の範囲の減縮を目的とし，新規事項の追加に該当せず，実質上特許請求の範囲を拡張し，または変更するものではない。
　
(3) むすび
　以上のとおりであるから，上記訂正は，特許法第120条の4第2項並びに第3項で準用する同法第126条第2項及び第3項の規定に適合するので，当該訂正を認める。
　
３．特許異議の申立てについての判断
(1) 訂正明細書の請求項１〜４１に係る発明
　本件特許の請求項１〜４１に係る発明は，上記したように，本件訂正が認められるものであるので，訂正明細書の特許請求の範囲の請求項１〜４１に記載されたとおりのものである。（なお，本件訂正は上記のとおり請求項１,２６及び３８の３つの請求項にのみになされたので，それ以外の請求項については，特許公報の特許請求の範囲に記載されたものと相違しない。）
　
(2) 申立の理由の概要
　特許異議申立人は，本件特許の請求項１〜４１に係る各発明はいずれも下記甲第１〜７号証各刊行物の記載に基づき当業者が容易に発明することができたものであるから，本件特許の請求項１〜４１に係る特許は，いずれも特許法第29条第2項の規定に違反してされたものであるので，同法第113条第2号に該当すると主張している。
　
○証拠
甲第１号証：国際公開第96/16682号パンフレット〔1996年6月6日発行〕
甲第１号証の２：特表平10-509896号公報〔平成10年9月29日公表〕
甲第２号証：特開平3-268751号公報〔平成3年11月29日公開〕
甲第３号証：特開昭62-250201号公報〔昭和62年10月31日公開〕
甲第４号証：特開昭63-182401号公報〔昭和63年7月27日公開〕
甲第５号証：特開昭63-12705号公報 〔昭和63年1月20日公開〕
甲第６号証：特開平2-43231号公報〔平成2年2月13日公開〕
甲第７号証：特開平8-199456号公報〔平成8年8月6日公開〕
　
(3) 甲号証記載の発明
　甲第１号証刊行物には，次の発明が記載されている。（なお，甲第１号証刊行物は国際公開パンフレットであるところ，その翻訳文として提出された対応する公表公報(甲第１号証の２刊行物)の記載に基づく。）
「ａ) 液体不透過性バックシート，
　ｂ) 液体透過性かつ親水性であり，前記バックシートに接合され，おむつが着用されたときに前記おむつ内部に向かって配置される内表面と，着用者の身体に向かって配置される外表面を有するトップシートであって，前記トップシートの外表面の少なくとも一部に20℃で半固体または固体であり部分的に着用者の肌へ移動可能である有効量のローションコーティングを含み，前記ローションコーティングは，
　(i) 10ないし95％が，20℃で可塑性または流動性コンシステンシーを有し，石油ベースのエモリエント剤，脂肪酸エステルエモリエント剤，アルキルエトキシレートエモリエント剤，およびこれらの混合物から選択された１つを含む，実質的に水分を含まないエモリエント剤であり，
　(ii) 5ないし90％が，前記エモリエント剤をトップシートの前記外表面上に固定することを可能とする固定化物質であり，前記固定化物質が，少なくとも35℃，好ましくは少なくとも40℃の融点を有し，ポリヒドロキシ脂肪酸エステル，ポリヒドロキシ脂肪酸アミド，Ｃ14−Ｃ22脂肪アルコール，Ｃ12−Ｃ22脂肪酸，Ｃ12−Ｃ22脂肪アルコールエトキシレート，およびそれらの混合物から選ばれるトップシート，
　ｃ) 前記トップシートおよび前記バックシートの間に配置される吸収性芯を有することを特徴とする使い捨ておむつ。」（クレーム１）
「本発明において有用であるエモリエント剤としては，以下のものが挙げられる。石油系，脂肪酸エステル系，アルキルエトキシレート系(注：甲第１号証の２刊行物に記載の「アルカリエトキシレート系」は誤訳である)，脂肪酸エステルエトキシレート，脂肪アルコール系，ポリシロキサン系，もしくはこれらのエモリエント剤の混合物。」(17頁5〜7行(甲第１号証の２刊行物24頁8〜11行))
「不動化剤として用いることができる他の種類の成分には，……のようなワックス，およびその他の既存のワックスが含まれる。」(25頁31行〜26頁2行(甲第１号証の２刊行物35頁4〜7行))
　
(4) 対比・判断
(a) 請求項１に係る発明
　本件特許の請求項１に係る発明(以下「本件特許発明」という)と甲第１号証刊行物に記載された発明とを対比すると，甲第１号証刊行物に記載された発明ではローションコーティングを使い捨ておむつの「トップシート」に適用するものであるのに対し，本件特許発明においては，吸収製品に「液体不透過性バリヤ脚部カフス」を形成した上で，ローションコーティングを該「液体不透過性バリヤ脚部カフス」に適用するものであることについてのみ相違する。
　なお，本件特許発明における「吸収製品」は「使い捨ておむつ」を包含することは本件訂正明細書16頁24頁〜17頁2行(特許公報13欄49行〜14欄10行)の記載から明らかであり，「ローションコーティング」についても全く同一の成分を包含し得るものであるから，これらの構成に相違点は存在しない。
　また，使い捨ておむつ等の吸収製品に「液体不透過性バリヤ脚部カフス」を形成することは，甲第３〜５号証各刊行物にも記載されているように本件特許に係る特許出願前からよく知られていたことであり，この点にも格別なものはない。
　
　ところで，甲第１号証刊行物に記載された発明は，「トップシートの外側表面にローション剤コーティングを有する使い捨ておむつ」に関するものであるが，その目的は，第１義的には，着用者の皮膚に移ったローション剤が「着用者の皮膚にＢＭが付着することを減少させるように作用し，その結果，ＢＭの洗浄除去を容易」にすることにある(甲第１号証刊行物1頁15〜17行，3頁31行〜末行，4頁14〜15行，15頁24行〜末行，30頁4〜6行(甲第１号証の２刊行物6頁8〜9行，8頁23〜25行，9頁12〜13行，22頁下から6〜4行，39頁末行〜40頁1行)参照)。そのため，「『有効な量のローションコーティング』という用語は，おむつトップシートに塗られた際に着用者の皮膚にＢＭが付着することを減少させる効果があるような，個別のローション組成物の量を指す。」(甲第１号証刊行物16頁2〜5行(甲第１号証の２刊行物22頁下から行〜23頁2行))とか，「おむつトップシートに塗るローション剤の最小量は，着用者の皮膚にＢＭが付着することを減少させるのに有効な量である。」(甲第１号証刊行物16頁2〜5行(甲第１号証の２刊行物36頁末行〜40頁1行))と記載されている。
　そして，「おむつトップシートは，親水性の材料から形成され，液体がトップシートをすばやく通り抜けるのを促進することが強く望まれる。同様に，ローション組成物も濡れ性が十分に高く，液体がトップシートをよりすばやく通り抜けることを確実にすることが重要」(甲第１号証刊行物26頁17〜21行(甲第１号証の２刊行物35頁19〜22行))とし，おむつトップシートの濡れ性のための配慮も行っているものである。すなわち，「本発明のローション組成物に用いる個々の不動化剤によっては，濡れ性を改善するために親水性の界面活性材(もしくは親水性界面活性材の混合物)をさらに必要としたり，またはしなかったりする。たとえば，Ｎ-ココイル-Ｎ-メトキシプロピルグルカミドのような不動化剤は，ＨＬＢ価が少なくとも約７であり，親水性の界面活性材を添加しなくても十分に濡れ性が高い。いっぽう，Ｃ16−Ｃ18脂肪アルコールのような他の不動化剤は，ＨＬＢが約７を下回っており，ローション組成物をおむつトップシートに塗る際に，親水性の界面活性材を添加して濡れ性を改善する必要がある。同様にワセリンのような疎水性のエモリエント(注：甲第１号証の２刊行物に記載の「不動化剤」は誤訳である)は，親水性の界面活性材を必要とする。」(甲第１号証刊行物26頁23行〜末行(甲第１号証の２刊行物35頁25行〜36頁5行))とか，「ローション組成物の濡れ性を所定のレベルにまで増加させるのに必要な，親水性界面活性剤の量は，用いられる不動化剤のＨＬＢ価および量，用いられる界面活性材のＨＬＢ価などに依存する。ローション組成物の濡れ性を増加させることが必要とされる際には，ローション組成物には，……親水性界面活性材が含まれる。」(甲第１号証刊行物28頁35行〜29頁7行(甲第１号証の２刊行物38頁23〜28行))と記載されている。その結果，「すぐれた流体取扱い特性を有する親水性トップシート」(甲第１号証刊行物3頁29〜30行(甲第１号証の２刊行物8頁21〜22行))となるものとされている。
　もちろん，「ローションが塗られたおむつトップシートにおいては，所望のＢＭ洗浄，およびコーティングローション剤の治療効果もしくは保護効果が得られる」(甲第１号証刊行物5頁11〜13行(甲第１号証の２刊行物10頁6〜7行))として「治療効果もしくは保護効果」についても触れているが，これはローション剤を使用することから当然得られるローション剤本来の効果に形式的に触れたものに過ぎない。
　
　一方，本件特許発明は，使い捨ておむつ等の吸収製品における排泄物の漏れ防止のために「弾性化された脚部フラップ」(ガスケットカフス)や「バリヤカフス」を設けた場合，これらのカフスが皮膚に接触する領域において皮膚に跡を残す(訂正明細書9頁22〜23行(特許公報8欄25〜6行)参照)ことから，本発明において開示されるローションが「カフスが着用者の皮膚と接触する領域におけるカフスと皮膚との間の摩擦を最小化するように作用し，その結果，皮膚の刺激をより少なくする」(訂正明細書8頁12〜14行，10頁4〜9行，11頁6〜8行，11頁23〜25行(特許公報7欄19〜22行，8欄41〜44行，9欄33〜35行，10欄7〜10行)等参照)というものである。このため，「『有効量のローションコーティング』という術語は，おむつの脚部カフスに与えられるとき，カフスが着用者の皮膚に接触する領域におけるカフスと皮膚との間の摩擦を少なくすることについて有効であり，結果として皮膚の刺激をより少なくする量」(訂正明細書35頁14〜18行(特許公報29欄41〜46行))あるいは「おむつ脚部カフスに適用されるローションの最小レベルは，カフスが着用者の皮膚に接触する領域におけるカフスと皮膚との間の摩擦を減少させるのに有効な最小量であり，それにより皮膚の刺激はより小さくなる。」(訂正明細書51頁8〜10行(特許公報42欄27〜30行))としている。
　さらに，このことに併せて，これらのカフスを設けてもなお生じ得るカフスを通過しての排泄物の漏れに対し(訂正明細書9頁20〜22行(特許公報8欄22〜25行)参照)，「ローションでのカフスのコーティングはカフスの疎水性を増加させ得るものであり，それにより漏れ性能を向上させる」(訂正明細書9頁末行〜10頁2行，11頁13〜14行，11頁26〜28行(特許公報8欄34〜37行，9欄42〜43行，10欄12〜15行)等参照)ということもその作用として挙げられている。そして，この疎水性ローションのコーティングにより，「所望の疎水性に達するために代わりの方法を提供することにより不織材料を用いるカフスのデザインにおいて柔軟性を与える。このことは材料のコストの減少に導き得る。」(訂正明細書10頁2〜4行，11頁28行〜12頁2行(特許公報8欄37〜40行，10欄15〜18行)等参照)，「本発明の疎水性ローション被覆のために，バリヤカフスは親水性材料から作られ得る。」(訂正明細書27頁12〜13行(特許公報22欄42〜43行))という効果が得られることになるのである。
　なお，本件訂正明細書には，「ローションはまた，皮膚へのＢＭの付着を防止するように働く着用者の皮膚上の保護コーティングをも提供し，それによりＢＭ清浄化の容易さを向上させる」(訂正明細書10頁7〜9行，11頁9〜12行，11頁25〜26行(特許公報8欄44〜47行，9欄37〜40行，10欄10〜12行)等参照)ことについても触れているが，本件特許発明に係る吸収製品のローションコーティング適用個所(バリヤ脚部カフス)から考えれば，この効果は甲第１号証刊行物に記載された発明に比べて限定的なものにならざるをえない。
　
　そうすると，甲第１号証刊行物に，ＢＭ清浄化容易性のために，おむつトップシートの表面にその透水性を阻害しないように調製されたローションコーティング剤を適用することが記載されていたとしても，そのようなローションコーティング剤をそのまま，おむつのバリヤ脚部カフスにその漏れ性を防止するために使用することは，それぞれの適用場所が透水性(濡れ性の増加)と漏れ性防止(疎水性)というある意味で全く逆の機能を考慮すべきことを必要としていることに鑑みると，必ずしも当業者が容易になし得たこととはいえないものと認められる。
　なお，甲第２号証刊行物に記載された発明も，おむつかぶれに有効なポリフェノール性有機化合物を吸水性基材，すなわち吸水層および液透過性表面シートに適用するものであるから，甲第１号証刊行物に記載された発明と同様のものであり，そうすると，この甲第２号証刊行物に記載された事項を加味しても本件特許発明を容易に想到し得たものとすることはできない。
　
(b) 請求項２６に係る発明
　請求項２６に係る発明は，「ローションコーティング」を適用する場所が請求項１に係る発明の「液体不透過性バリヤ脚部カフス」ではなく，「液体不透過性ガスケットカフス」である。なお，「液体不透過性ガスケットカフス」自体は甲第１号証刊行物に記載されている(図３の「レッグカフス560」に相当)。
　しかし，「液体不透過性ガスケットカフス」に適用するローションコーティング自体は，請求項１に係る発明で使用されるものと同じものであるから，結局，上記(a)の請求項１に係る発明について記載したのと同様の理由により，本請求項に係る発明についても進歩性を有することは明らかである。
　
(c) 請求項３８に係る発明
　請求項３８に係る発明は，「ローションコーティング」を適用する場所が「液体不透過性カフス」であるが，この「液体不透過性カフス」とは，「液体不透過性バリヤ脚部カフス」及び「液体不透過性ガスケットカフス」の両者を含むものである(訂正明細書9頁27行〜末行，34頁下から3〜2行(特許公報8欄32〜34行，29欄17〜19行)参照)。
　そうすると，上記(a)及び(b)に示した理由と同様の理由により，本請求項に係る発明についても進歩性を有することが明らかである。
　
(d) その他の請求項に係る発明
　請求項２〜２５，３５，３６及び４１に係る発明は請求項１に係る発明の構成を技術的に限定したものであり，また，請求項２７〜３４及び３７に係る発明は請求項２６に係る発明の構成を技術的に限定したものであり，さらに，請求項３９及び４０に係る発明は請求項３８に係る発明の構成を技術的に限定したものである。
　しかし，上記のとおり，請求項１，２６及び３８に係る各発明にそれぞれ進歩性があるのであるから，これらの請求項に係る各発明についても進歩性を否定し得ないことは明らかである。（なお，甲第６,７号証各刊行物にアロエ抽出物をおむつに適用することが記載されているとしても，請求項３５〜３７に係る各発明に関する上記判断に何ら影響を与えるものではない。）
　
４．むすび
　以上のとおりであるから，特許異議の申立ての理由及び証拠によっては本件請求項１〜４１に係る発明の特許を取り消すことはできない。
　また，他に本件請求項１〜４１に係る特許を取り消すべき理由を発見しない。
　よって，結論のとおり決定する。
【異議決定日】
平成１５年３月１０日（２００３．３．１０）
【訂正の要旨】
（ａ）　訂正事項１
　特許請求の範囲の減縮を目的として、請求項１：
「　【請求項１】
　２つの縦側サイドエッジを有する吸収製品であって、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置されるバリヤ脚部カフス
を備え、
　前記バリヤ脚部カフスのそれぞれは、前記吸収製品の前記縦側サイドエッジに隣接して固着される近位端および前記吸収製品の少なくとも一部に固定されない遠位端を有し、前記吸収製品が着用されるとき、前記バリヤ脚部カフスのそれぞれは、前記吸収製品の内部に向かって配向する内側表面および着用者の皮膚に向かって配向する外側表面を有し、前記バリヤ脚部カフスの外側表面または内側表面の少なくとも一部に、着用者の皮膚に少なくとも部分的に移行可能である有効量のローションコーティングが配置され、
　前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）バリヤ脚部カフスの前記外側表面または前記内側表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。」
を、
「　【請求項１】
　２つの縦側サイドエッジを有する吸収製品であって、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置される
液体不透過性
を備え、
　前記バリヤ脚部カフスのそれぞれは、前記吸収製品の前記縦側サイドエッジに隣接して固着される近位端および前記吸収製品の少なくとも一部に固定されない遠位端を有し、前記吸収製品が着用されるとき、前記バリヤ脚部カフスのそれぞれは、前記吸収製品の内部に向かって配向する内側表面および着用者の皮膚に向かって配向する外側表面を有し、前記バリヤ脚部カフスの外側表面または内側表面の少なくとも一部に、着用者の皮膚に少なくとも部分的に移行可能である有効量のローションコーティングが配置され、
　前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）バリヤ脚部カフスの前記外側表面または前記内側表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。」
と訂正する。
（ｂ）　訂正事項２
　特許請求の範囲の減縮を目的として、特許請求の範囲の請求項２６：
「　【請求項２６】
　２つの縦側サイドエッジを有する吸収製品であって、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置される弾性的に収縮性のガスケットカフス
を備え、
　前記ガスケットカフスは前記吸収製品の縦側サイドエッジから横に外側に伸び、前記ガスケット脚部カフスのそれぞれは、着用者の皮膚に向かって配向する前方表面および前記前方表面に対向する後方表面を有し、前記ガスケット脚部カフスの前方表面または後方表面の少なくとも一部はその上に、着用者の皮膚に少なくとも部分的に移行可能である有効量のローションコーティングを配置させており、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）ガスケット脚部カフスの前記前方表面または前記後方表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。」
を、
「　【請求項２６】
　２つの縦側サイドエッジを有する吸収製品であって、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置される弾性的に収縮性の
液体不透過性
を備え、
　前記ガスケットカフスは前記吸収製品の縦側サイドエッジから横に外側に伸び、前記ガスケット脚部カフスのそれぞれは、着用者の皮膚に向かって配向する前方表面および前記前方表面に対向する後方表面を有し、前記ガスケット脚部カフスの前方表面または後方表面の少なくとも一部はその上に、着用者の皮膚に少なくとも部分的に移行可能である有効量のローションコーティングを配置させており、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）ガスケット脚部カフスの前記前方表面または前記後方表面上に前記エモリエントを固定することが可能な固定化剤であって、ボリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。」
と訂正する。
（ｃ）　訂正事項３
　特許請求の範囲の減縮を目的として、請求項３８：
「　【請求項３８】
　吸収製品であって、
　Ａ）バックシートおよび該バックシートに結合する液体透過性トップシートを備える外側カバー層、
　Ｂ）前記トップシートと前記バックシートとの間に位置する吸収性コア、および
　前記外側カバー層に固定され、かつ吸収製品が着用されるとき、吸収製品の内部に向かって配向する内側表面と着用者の皮膚に向かって配向する外側表面を有するカフス
を備え、
　有効量のローションコーティングが前記カフス上に配置され、該ローションは着用者の皮膚に少なくとも部分的に移行可能であり、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）前記カフス上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。」
を、
「　【請求項３８】
　吸収製品であって、
　Ａ）バックシートおよび該バックシートに結合する液体透過性トップシートを備える外側カバー層、
　Ｂ）前記トップシートと前記バックシートとの間に位置する吸収性コア、および
　前記外側カバー層に固定され、かつ吸収製品が着用されるとき、吸収製品の内部に向かって配向する内側表面と着用者の皮膚に向かって配向する外側表面を有する
液体不透過性
を備え、
　有効量のローションコーティングが前記カフス上に配置され、該ローションは着用者の皮膚に少なくとも部分的に移行可能であり、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）前記カフス上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。」
と訂正する。
（５４）【発明の名称】
ローションを付された脚部カフスを有する吸収製品
（５７）【特許請求の範囲】
　【請求項１】
　２つの縦側サイドエッジを有する吸収製品であって、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置される
液体不透過性
を備え、
　前記バリヤ脚部カフスのそれぞれは、前記吸収製品の前記縦側サイドエッジに隣接して固着される近位端および前記吸収製品の少なくとも一部に固定されない遠位端を有し、前記吸収製品が着用されるとき、前記バリヤ脚部カフスのそれぞれは、前記吸収製品の内部に向かって配向する内側表面および着用者の皮膚に向かって配向する外側表面を有し、前記バリヤ脚部カフスの外側表面または内側表面の少なくとも一部に、着用者の皮膚に少なくとも部分的に移行可能である有効量のローションコーティングが配置され、
　前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）バリヤ脚部カフスの前記外側表面または前記内側表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。
　【請求項２】
　前記エモリエント剤が、２０℃において可塑性または流体コンシステンシーを有する請求項１記載の吸収製品。
　【請求項３】
　前記エモリエント剤が、５％以下の水を含有する請求項２記載の吸収製品。
　【請求項４】
　前記固定化剤が、少なくとも３５℃の融点を有する請求項１記載の吸収製品。
　【請求項５】
　前記エモリエント剤が、約５％以下の水分を含み、鉱油、ペトロラタム、およびそれらの混合物からなる群より選択される石油系エモリエントを含む請求項１記載の吸収製品。
　【請求項６】
　前記エモリエント剤が、ペトロラタムである請求項５記載の吸収製品。
　【請求項７】
　前記エモリエント剤が、鉱油である請求項５記載の吸収製品。
　【請求項８】
　前記バリヤ脚部カフスの外側表面または内側表面の前記部分上のローションコーティングの量が、約０．１６ｇ／ｍ２（０．１ｍｇ／ｉｎ２）から約７８ｇ／ｍ２（５０ｍｇ／ｉｎ２）までの範囲を取る請求項１記載の吸収製品。
　【請求項９】
　前記バリヤ脚部カフスの外側表面または内側表面の前記部分上のローションコーティングの量が、約１．６ｇ／ｍ２（１ｍｇ／ｉｎ２）から約３９ｇ／ｍ２（２５ｍｇ／ｉｎ２）までの範囲を取る請求項６記載の吸収製品。
　【請求項１０】
　前記ローションコーティングが５〜５０％の前記固定剤を含み、前記固定剤が少なくとも約４０℃の融点を有する請求項１記載の吸収製品。
　【請求項１１】
　前記固定剤がＣ１４〜Ｃ２２脂肪アルコールを含む請求項１０記載の吸収製品。
　【請求項１２】
　前記固定剤が、セチルアルコール、ステアリルアルコールおよびそれらの混合物からなる群より選択されるＣ１６〜Ｃ１８脂肪アルコールを含む請求項１１記載の吸収製品。
　【請求項１３】
　前記固定剤が、ソルビタンパルミテート、ソルビタンステアレート、ソルビタンベヘネート、グリセリルモノステアレート、グリセリルモノパルミテート、グリセリルモノベヘネート、シュークロースモノおよびジステアレート、およびシュークロースモノおよびジラウレートからなる群より選択されるポリヒドロキシ脂肪酸エステルを含む請求項１記載の吸収製品。
　【請求項１４】
　前記固定剤がソルビタンステアレートを含む請求項１３記載の吸収製品。
　【請求項１５】
　前記固定剤が、Ｎ−ラウリル−Ｎ−メチルグルカミド、Ｎ−ラウリル−Ｎ−メトキシプロピルグルカミド、Ｎ−ココイル−Ｎ−メチルグルカミド、Ｎ−ココイル−Ｎ−メトキシプロピルグルカミド、Ｎ−パルミチル−Ｎ−メトキシプロピルグルカミド、Ｎ−タロウイル−Ｎ−メチルグルカミド、およびＮ−タロウイル−Ｎ−メトキシプロピルグルカミドからなる群より選択されるポリヒドロキシ脂肪酸アミドを含む請求項１記載の吸収製品。
　【請求項１６】
　前記固定剤が、カルナウバワックス、ビーズワックス、キャンデリラワックス、パラフィンワックス、セレシンワックス、エスパルトワックス、ウーリキュリワックス、レゾワックス及びそれらの混合物からなる群より選択される物質を含む請求項１記載の吸収製品。
　【請求項１７】
　前記エモリエント剤が、ペトロラタムであり、前記固定剤が、セチルアルコール、ステアリルアルコールおよびそれらの混合物からなる群より選択されるＣ１６〜Ｃ１８脂肪アルコールを含む請求項８記載の吸収製品。
　【請求項１８】
　前記吸収製品が、前記吸収製品の前記２つの縦側サイドエッジのそれぞれに隣接して配置される弾性的に収縮性のガスケットカフスを有し、前記ガスケットカフスは前記吸収製品の縦側サイドエッジから横に外側に伸び、前記ガスケットカフスのそれぞれは、前記吸収製品が着用されるとき着用者の皮膚に向かって配向する前方表面および前記前方表面に対向する後方表面を有し、前記ガスケットカフスの前方表面または後方表面の少なくとも一部は、その上に、着用者の皮膚に少なくとも部分的に移行可能である有効量のローションコーティングを配置させており、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）ガスケットカフスの前記前方表面または前記後方表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする請求項１記載の吸収製品。
　【請求項１９】
　前記エモリエント剤が、２０℃において可塑性または流体コンシステンシーを有する請求項１８記載の吸収製品。
　【請求項２０】
　前記エモリエント剤が、５％以下の水を含有する請求項１９記載の吸収製品。
　【請求項２１】
　前記固定化剤が、少なくとも３５℃の融点を有する請求項１８記載の吸収製品。
　【請求項２２】
　前記エモリエント剤が、鉱油、ペトロラタム、およびそれらの混合物からなる群より選択される石油系エモリエントを含む請求項１８記載の吸収製品。
　【請求項２３】
　前記エモリエント剤が、ペトロラタムである請求項２２記載の吸収製品。
　【請求項２４】
　前記エモリエント剤が、鉱油である請求項２２記載の吸収製品。
　【請求項２５】
　前記ガスケットカフスの前方表面または後方表面の前記部分上のローションコーティングの量が、約０．１６ｇ／ｍ２（０．１ｍｇ／ｉｎ２）から約７８ｇ／ｍ２（５０ｍｇ／ｉｎ２）までの範囲を取る請求項１８記載の吸収製品。
　【請求項２６】
　２つの縦側サイドエッジを有する吸収製品であって、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置される弾性的に収縮性の
液体不透過性
を備え、
　前記ガスケットカフスは前記吸収製品の縦側サイドエッジから横に外側に伸び、前記ガスケット脚部カフスのそれぞれは、着用者の皮膚に向かって配向する前方表面および前記前方表面に対向する後方表面を有し、前記ガスケット脚部カフスの前方表面または後方表面の少なくとも一部はその上に、着用者の皮膚に少なくとも部分的に移行可能である有効量のローションコーティングを配置させており、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）ガスケット脚部カフスの前記前方表面または前記後方表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。
　【請求項２７】
　前記エモリエント剤が、２０℃において可塑性または流体コンシステンシーを有する請求項２６記載の吸収製品。
　【請求項２８】
　前記エモリエント剤が、５％以下の水を含有する請求項２７記載の吸収製品。
　【請求項２９】
　前記固定化剤が、少なくとも３５℃の融点を有する請求項２６記載の吸収製品。
　【請求項３０】
　前記エモリエント剤が、鉱油、ペトロラタム、およびそれらの混合物からなる群より選択される石油系エモリエントを含む請求項２６記載の吸収製品。
　【請求項３１】
　前記エモリエント剤が、ペトロラタムである請求項３０記載の吸収製品。
　【請求項３２】
　前記エモリエントが、鉱油である請求項３０記載の吸収製品。
　【請求項３３】
　前記ガスケットカフスの前方表面または後方表面の前記部分上のローションコーティングの量が、約０．１６ｇ／ｍ２（０．１ｍｇ／ｉｎ２）から約７８ｇ／ｍ２（５０ｍｇ／ｉｎ２）までの範囲を取る請求項２６記載の吸収製品。
　【請求項３４】
　前記ガスケットカフスの前方表面または後方表面の前記部分上のローションコーティングの量が、約１．６ｇ／ｍ２（１ｍｇ／ｉｎ２）から約３９ｇ／ｍ２（２５ｍｇ／ｉｎ２）までの範囲を取る請求項３１記載の吸収製品。
　【請求項３５】
　前記ローションコーティングが、更に、０．１％〜２０％のアロエ抽出物を含む請求項１記載の吸収製品。
　【請求項３６】
　前記ローションコーティングが、更に、０．１％〜約２０％のアロエ抽出物を含む請求項１８記載の吸収製品。
　【請求項３７】
　前記ローションコーティングが、更に、０．１％〜２０％のアロエ抽出物を含む請求項２６記載の吸収製品。
　【請求項３８】
　吸収製品であって、
　Ａ）バックシートおよび該バックシートに結合する液体透過性トップシートを備える外側カバー層、
　Ｂ）前記トップシートと前記バックシートとの間に位置する吸収性コア、および
　前記外側カバー層に固定され、かつ吸収製品が着用されるとき、吸収製品の内部に向かって配向する内側表面と着用者の皮膚に向かって配向する外側表面を有する
液体不透過性
を備え、
　有効量のローションコーティングが前記カフス上に配置され、該ローションは着用者の皮膚に少なくとも部分的に移行可能であり、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）前記カフス上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品。
　【請求項３９】
　前記エモリエント剤が、２０℃において可塑性または流体コンシステンシーを有する請求項３８記載の吸収製品。
　【請求項４０】
　前記エモリエント剤が、５％以下の水を含有する請求項３９記載の吸収製品。
　【請求項４１】
　前記固定化剤が、少なくとも３５℃の融点を有する請求項１記載の吸収製品。
【発明の詳細な説明】
技術分野
　この出願は、脚部カフスを有する、おむつ、トレーニングパンツ、成人失禁用デバイスなどのような吸収製品に関する。特に、本発明は、通常の接触および着用者の動きおよび／または体温により着用者の皮膚に移行可能である脚部カフスの表面上のローションコーティングを有する吸収製品に関する。本発明において開示されるローションは、カフスが着用者の皮膚と接触する領域におけるカフスと皮膚とのあいだの摩擦を最小化し、その結果、皮膚の刺激をより少なくする。
発明の背景
　使い捨ておむつおよび失禁ブリーフまたは下着のような吸収製品の主要な機能は、身体滲出物を吸収し、含有することである。従って、その様な製品は、身体滲出物が、着用者と接触するようになる被服、または寝具のような他の製品を汚すこと、濡らすこと、またはさもなければ汚染することを防止することを意図する。その様な製品についての欠陥の最も一般的なモードは、身体滲出物が製品と着用者の脚部または腰部との間の間隙から隣接する被服に漏れ出るときに起こる。と言うのは、それは製品の中に直接吸収されず、吸収製品は、滲出物が吸収製品のシャーシから漏れ出ることを許容する間隙を作り出すように着用者について良好な適合を維持し得ないからである。例えば、尿は被服または他の製品と接触するようになり、これらの製品により吸収され得るシャーシ内の間隙に尿が移動する様に、尿は、噴出でトップシートに放出される傾向がある。加えて、吸収製品により容易に吸収されない緩い糞便は、液体を受け入れる表面上に「浮く」傾向があり、着用者の脚部または腰部における製品の間隙を越えて進む。
　現代の使い捨ておむつは、トップシート、バックシート、吸収性コア、および一般的に吸収性コアの端部を越えて伸びる連続的なトップシートおよびバックシートの中に取り囲まれる弾性部材から形成される弾性化された脚部フラップを有する。これらの弾性化された脚部フラップは、弾性化された脚部フラップがおむつの端部と接触する被服との間の流体不透過性バリヤを提供し、加えて、脚部のまわりの密封を維持するように着用者の脚部の回りにガスケット作用を提供し、間隙形成を最小化することにおいて、流体を満載するおむつからおむつの端部に接触する被服への灯心作用およびオーバーフローを防止するのに一般的に有効であることがわかっている。しかしながら、おむつの周辺に沿っての漏れはいまだ発生し得る。おむつが長い時間着用されるとき、力は、着用者についての初期の適合を低下させるようにおむつに対して作用する傾向がある。脚部および腰部におけるおむつの大きな間隙およびゆるみは適合の低下により形成される。従って、液体がトップシートに放出されるとき、液体の一部はトップシートを通して直接吸収されず、おむつの端部に向かって移動し、そこでそれはおむつの間隙を通してまたは越えて漏れ、被服または下着との接触に至り得るものであり、そこでそれはその様な着衣により吸収され、それに灯心作用し得る。
　使い捨ておむつは、緩い糞便または尿もしくは液体の噴出が着用者の被服を汚すことを阻止するバリヤカフスを備え得る。バリヤカフスはこの物体の自由な流動を拘束し、その様な物体がおむつのトップシート上を自由に浮遊しまたは流動するとき、それがおむつの中に含有されるように、おむつの中にその様な物体を保持する構造を提供する。その様な物体を含有することにおけるその様な構造の効果にもかかわらず、液体はバリヤカフスを通して漏れ、着用者の被服を汚し得ることが見出された。加えて、バリヤ脚部カフスは、脚部カフスが皮膚に接触する領域において皮膚に跡を残し得る。
　この度、通常の接触および着用者の動きおよび／または体温により着用者の皮膚に移行可能である、脚部カフスの表面上にローションコーティングを適用することは、おむつの封入特性を向上させ、皮膚の刺激を減少させ、並びにＢＭ清浄化の容易さの向上に導き得ることが発見された。ここで用いられるものとして、脚部カフスという術語は、バリヤ脚部カフス、ガスケットカフスおよびその組み合わせおよび変形を含む。本明細書で開示されるローションでのカフスのコーティングはカフスの疎水性を増加させ得るものであり、それにより漏れ性能を向上させる。疎水性ローションのコーティングは、所望の疎水性に達するために代わりの方法を提供することにより不織材料を用いるカフスのデザインにおいて柔軟性を与える。このことは材料のコストの減少に導き得る。重要なこととして、本発明において開示されるローションは、カフスが着用者の皮膚と接触する領域においてカフスと皮膚との間の摩擦を最小化するように作用し、その結果より少ない皮膚の刺激となる。ローションはまた、皮膚へのＢＭの付着を防止するように働く着用者の皮膚上の保護コーティングをも提供し、それによりＢＭ清浄化の容易さを向上させる。
　鎮静的な保護コーティングを与えるおむつ製品へのローションとして適用されてきた１つの物質は鉱油である。鉱油（液体ペトロラタムとしてもまた知られる）は、石油における高沸点（すなわち、３００℃〜３９０℃）画分を蒸留することにより得られるさまざまな液体炭化水素の混合物である。鉱油は、周囲温度、例ば２０℃〜２５℃で液体である。結果として、鉱油は、おむつに適用されるとき相対的に流動性であり可動性である。鉱油は周囲温度で流動性でありかつ可動性であるので、それはバリヤ脚部カフスの身体に接触する表面上に局在してとどまらない傾向があり、しかしむしろ、おむつの内部に脚部カフスを通って移動する。従って、相対的に高いレベルの鉱油が、所望の治療的または保護的なローションのコーティングの利益を与えるためにバリヤ脚部カフスに与えられる必要がある。このことは、これらのローションを付されたバリヤ脚部カフスを有するおむつ製品についてコストの増加を導くのみならず、その上、下にある吸収性コアの吸収性を減少させることを含む他の不利益な効果にも導く。
　そのレベルを増加させることなしでさえ、一度与えられた鉱油が移動する傾向は他の不利益な効果を有する。例えば、与えられた鉱油は、ローションを付されたおむつ製品のためのパッケージングまたはラッパー材料に、の中に、およびそれを通って移動し得る。このことは、おむつ製品からの鉱油による汚れまたは他の漏れを避けるためにバリヤタイプのパッケージングまたはラッパーフィルムについての必要を作り出し得る。
　従って、（１）所望の治療的または保護的なローションのコーティングの利益を有し、（２）室温で液体である（例えば鉱油）相対的に高いレベルのコーティングを必要とせず、（３）逆に、おむつ製品の吸収性に影響を与えず、（４）パッケージングのために特別なラッピングまたはバリヤ材料を必要としない、ローションを付された脚部カフスを有するおむつ製品を提供することが望ましいであろう。
　それゆえ、本発明の目的は、ローションが着用者の皮膚に移行可能であり、所望の治療的な利益を提供し、結果として皮膚への刺激が少なくなる、ローションを付された脚部カフスを有するおむつを提供することである。
　本発明の更なる目的は、ローションが着用者の皮膚に移行可能であり、皮膚へのＢＭの付着を減少させることについて有効であり、それによりＢＭ清浄化の容易さを向上させるローションを付された脚部カフスを有するおむつを提供することである。
　本発明の更なる目的は、向上した液体封入特性を有する脚部カフスを有する使い捨ておむつを提供することである。
　望ましい本発明の更なる目的は、相対的に高いレベルの鉱油を必要とせず、パッケージングのための特別なラッピングまたはバリヤ材料を必要としないローションを付された脚部カフスを有するおむつを提供することである。
　これらのおよび他の目的は本発明を用いて達成され、それは、続く開示を読むことから容易に明らかになるであろう。
発明の概要
　本発明は、周囲温度で（すなわち、２０℃）半固形または固形であり、着用者の皮膚に移行するのに適合する、脚部カフスの表面上のローションコーティングを有する使い捨ておむつのような吸収製品に関する。皮膚への移行の際に、ローションは所望の治療的および／または保護的なローションのコーティングの利益を提供し、その結果皮膚の刺激はより少なくなり、また着用者の皮膚へのＢＭの付着を減少させ、それによりＢＭ清浄化の容易さを向上させる。本明細書で開示されるローションによるカフスのコーティングは、またカフスの疎水性をも向上させるものであり、それにより、その漏れ性能を向上させる。疎水性ローションのコーティングは、所望の疎水性を達成するために代わりの方法を提供することにより不織材料を用いるカフスのデザインにおいて柔軟性を与える。このことは材料コストの減少に導き得る。
　簡潔に言えば、本発明の吸収製品は、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置されるバリヤ脚部カフス
を備え、
　前記バリヤ脚部カフスのそれぞれは、前記吸収製品の前記縦側サイドエッジに隣接して固着される近位端および前記吸収製品の少なくとも一部に固定されない遠位端を有し、
　前記吸収製品が着用されるとき、前記バリヤ脚部カフスのそれぞれは、前記吸収製品の内部に向かって配向する内側表面および着用者の皮膚に向かって配向する外側表面を有し、
　前記バリヤ脚部カフスの外側表面または内側表面の少なくとも一部に、着用者の皮膚に少なくとも部分的に移行可能である有効量のローションコーティングが配置され、
　前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）バリヤ脚部カフスの前記外側表面または前記内側表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする。
　吸収製品は、バリヤ脚部カフスに加えて、またはその代わり、２つの弾性的に収縮性のガスケットカフスを有し得る。それぞれの弾性的に収縮性のガスケットカフスは、前記吸収製品の前記２つの縦側のサイドエッジのそれぞれに隣接して配置され、前記ガスケットカフスは前記おむつの縦側のサイドエッジから横に外側に伸び、前記ガスケットカフスのそれぞれは、前記おむつが着用されるとき着用者の皮膚に向かって配向する前方表面および前記前方表面に対向する後方表面を有し、前記ガスケットカフスの前方または後方表面の少なくとも一部は、その上に、着用者の皮膚に少なくとも部分的に移行可能である有効量のローションコーティングを配置させており、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）ガスケットカフスの前記前方表面または前記後方表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含む。
　さらに、本発明によれば、２つの縦側サイドエッジを有する吸収製品であって、
　Ａ）バックシート、
　Ｂ）前記バックシートに結合する液体透過性トップシート、
　Ｃ）前記トップシートと前記バックシートとの間に位置する吸収性コア、および
　Ｄ）２つの前記縦側サイドエッジのそれぞれに隣接して配置される弾性的に収縮性のガスケットカフス
を備え、
　前記ガスケットカフスは前記吸収製品の縦側サイドエッジから横に外側に伸び、前記ガスケット脚部カフスのそれぞれは、着用者の皮膚に向かって配向する前方表面および前記前方表面に対向する後方表面を有し、前記ガスケット脚部カフスの前方表面または後方表面の少なくとも一部はその上に、着用者の皮膚に少なくとも部分的に移行可能である有効量のローションコーティングを配置させており、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）ガスケット脚部カフスの前記前方表面または前記後方表面上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品が提供される。
　また、本発明によれば、吸収製品であって、
　Ａ）バックシートおよび該バックシートに結合する液体透過性トップシートを備える外側カバー層、
　Ｂ）前記トップシートと前記バックシートとの間に位置する吸収性コア、および
　前記外側カバー層に固定され、かつ吸収製品が着用されるとき、吸収製品の内部に向かって配向する内側表面と着用者の皮膚に向かって配向する外側表面を有するカフス
を備え、
　有効量のローションコーティングが前記カフス上に配置され、該ローションは着用者の皮膚に少なくとも部分的に移行可能であり、前記ローションコーティングは、疎水性であって、かつ
　（ｉ）石油系エモリエント、脂肪酸エステルエモリエント、アルキルエトキシレートエモリエント、脂肪酸エステルエトキシレートエモリエント、脂肪アルコールエモリエント、ポリシロキサンエモリエントおよびそれらの混合物からなる群より選択される成員を含むエモリエント剤１０〜９５％、および
　（ｉｉ）前記カフス上に前記エモリエントを固定することが可能な固定化剤であって、ポリヒドロキシ脂肪酸エステル、ポリヒドロキシ脂肪酸アミド、Ｃ１４〜Ｃ２２脂肪アルコール、Ｃ１２〜Ｃ２２脂肪酸、Ｃ１２〜Ｃ２２脂肪アルコールエトキシレート、ワックスおよびそれらの混合物からなる群より選択される成員を含む固定化剤５〜９０％
を含むことを特徴とする吸収製品が提供される。
　本発明の脚部カフス（バリヤおよび／またはガスケットカフス）の身体に接触する表面の少なくとも一部のローションコーティングの量は、好ましくは、約０．１６ｇ／ｍ２（０．１ｍｇ／ｉｎ２）から約７８（５０ｍｇ／ｉｎ２）、より好ましくは約１．６ｇ／ｍ２（１ｍｇ／ｉｎ２）から約３９ｇ／ｍ２（２５ｍｇ／ｉｎ２）の範囲をとる。本発明によるローションを付された脚部カフスは、治療的および／または保護的なローションコーティングの利益を提供し、さらに、所望のＢＭ清浄化の利益を提供する。加えて、疎水性ローションは、カフスの疎水性を向上させ得、および／または所望の疎水性を達成するために代替手段を提供し得る。エモリエントは脚部カフスの表面上に実質的に固定されるので、所望のスキンケアの利益を与えるためにはより少ないローション組成物が必要とされる。加えて、特別なバリヤまたはラッピング材料は、本発明のローションを付されたおむつ製品のパッケージングにおいては、好ましくは必要でない。
　本明細書で以後考察されるであろう様に、本発明のローション組成物は好ましくは、それらが比較的不動であり、室温でおむつの脚部カフス上に局在し、体温で着用者に移行可能であり、さらに、極端な貯蔵条件下で完全には液状でないような溶融プロフィールを有する。
　重要なことに、本発明のローション組成物は、通常の接触、着用者の動き、および／または体温により皮膚に容易に移行可能である。理論により拘束されないが、ローション組成物は、皮膚の表面エネルギーを変化させ、および／またはＢＭまたは尿についての皮膚の親和性を減少させる「障壁」を形成すると思われる。それゆえ、ＢＭまたは尿は、皮膚に粘着する傾向が減少し、除去するのに容易となる。
図面の簡単な説明
　図１は、下にある構造を表すために切欠された部分を有する本発明の使い捨ておむつ態様の平面図である。
　図２は、図１の切断線２−２に沿って取られた部分断面図である。
　図３は、図１の切断線３−３に沿って取られた部分断面図である。
　図４は、本発明による使い捨ておむつの形態における吸収製品の斜視図である。
　図５は、本発明のローション組成物をおむつのバリヤ脚部カフスに与えるための好ましいプロセスを例示する模式的表現である。
　図６は、本発明のローション組成物をおむつのバリヤ脚部カフスに与えるための別のプロセスを例示する模式的表現である。
発明の詳細な説明
　ここで用いられるものとして、「含む、具備する、備える（ｃｏｍｐｒｉｓｉｎｇ）」という術語は、さまざまな構成要素、成分、または工程が、本発明の実施において結合して用いられ得ることを意味する。従って、「含む、具備する、備える」という術語は、より限定的な術語の「本質的に〜からなる（ｃｏｎｓｉｓｔｉｎｇ　ｅｓｓｅｎｔｉａｌｌｙ　ｏｆ）」および「からなる（ｃｏｎｓｉｓｔｉｎｇ　ｏｆ）」を包含する。
　ここで用いられるすべてのパーセンテージ、比および割合は、別に規定してなければ重量による。
Ａ．吸収製品
　ここで用いられるものとして、「吸収製品」という術語は、身体滲出物を吸収し、含有するデバイスを称し、特に、身体から排出されるさまざまの滲出物を吸収し、含有する、着用者の皮膚に当接して配置されるデバイスを称する。「使い捨て」という術語は、ここでは、１回の使用の後に、洗濯されるかまたはさもなければ、吸収製品として修復されるかもしくは再使用されることを意図しない吸収製品を記述するために用いられる。使い捨て吸収製品の例には、生理用ナプキンおよびパンティライナーのような女性の衛生着衣、おむつ、失禁ブリーフ、およびホルダー、トレーニングパンツなどが含まれる。
　使い捨て吸収製品は典型的に、液体透過性トップシート、トップシートに結合する液体不透過性バックシートおよびトップシートとバックシートとの間に位置する吸収性コアを具備する。使い捨て吸収製品および、トップシート、バックシート、吸収性コアを含むその構成要素、並びにこれらの構成要素のいずれの個々の層も、身体表面および着衣表面を有する。ここで用いられるものとして、「身体表面」は、着用者の身体に向かってまたは隣接して着用されることを意図する製品または構成部分の表面を意味し、一方、「着衣表面」は、使い捨て吸収製品が着用されるとき、着用者から離れて面し、着用者の下着に向かって配向する反対側上にある。
　以下の記載は一般的に、使い捨て吸収製品において有用である吸収性コア、トップシート、およびバックシート材料を考察する。この一般的記載は、図１〜４において示される具体的な吸収製品のこれらの構成部分に対して適用され、本明細書で一般的に記載される他の使い捨て吸収製品のそれらに加えて更に下記されることが理解されるべきである。
　一般的に、吸収性コアは、液体（例えば、経血、尿、および／または他の身体滲出物）を吸収し、または保持することが可能である。吸収性コアは、好ましくは、圧縮可能であり、従順であり、および着用者の皮膚に対して刺激がない。吸収性コアは、広範な大きさおよび形状で製造され得る（例えば、長方形、楕円形、砂時計形、「Ｔ」字形、ドッグボーン形、対称形、非対称形など）。本発明の吸収性複合材料に加えて、吸収性コアは、一般的にエアフェルトと称される細砕された木材パルプのような吸収製品において一般的に用いられる広範な液体吸収材料のいずれかを含み得る。吸収性コアとしての使用のための他の適切な吸収材料の例には、しわのあるセルロースの詰め物、コフォーム（ｃｏｆｏｒｍ）を含む溶融ブローポリマー、化学的に硬化されるか、修飾されるか、または架橋されたセルロース性繊維、けん縮されたポリエステル繊維のような合成繊維、ピートモス、ティッシュラップおよびティッシュラミネートを含むティッシュ、吸収性発泡体、吸収性スポンジ、超吸収性ポリマー、吸収性ゲル化材料、またはいずれか等価の材料もしくは材料の組み合わせ、またはこれらの混合物が含まれる。
　吸収性コアの形状と構造もまた変化し得る（例えば、吸収性コアは、変化する厚さゾーンを有し得るし、および／または中央においてより厚くなるようなプロフィール、親水性勾配、本発明の吸収性複合材料の勾配、すなわち超吸収性勾配、または例えば獲得ゾーンのような低平均密度および低平均坪量のゾーンを有し得るし、または１以上の層または構造を含み得る）。しかしながら、吸収性コアの全吸収能力は、吸収製品の設計負荷および意図される用途と合致すべきである。さらに、吸収性コアの大きさおよび吸収能力は、おむつ、失禁パッド、パンティライナー、通常の生理用ナプキン、および夜間の生理用ナプキンのような異なる用途に適合する様に、および乳幼児から成人までの範囲をとる着用者に適合するように変化し得る。
　吸収性コアは、例えばダスティング層、灯心作用もしくは獲得層、または着用者の快適さを高めるための２次トップシートのような吸収製品においてしばしば用いられる他の吸収性部材を含み得る。
　トップシートは好ましくは、従順であり、柔軟な感触があり、着用者の皮膚に対して刺激がない。さらに、トップシートは液体透過性であり、液体（例えば、経血および／または尿）がその厚さを通して容易に貫通することを可能とする。適切なトップシートは、製織および不織材料（例えば、繊維の不織ウエブ）、開孔形成された熱可塑性フィルム、開孔されたプラスチックフィルム、および油圧成形された熱可塑性フィルムのようなポリマー性材料、多孔性発泡体、網状発泡体、網状熱可塑性フィルム、および熱可塑性スクリムのような広範な材料から製造され得る。適切な製織および不織材料は、天然繊維（例えば、木材または綿繊維）、合成繊維（例えば、ポリエステル、ポリプロピレン、またはポリエチレン繊維のようなポリマー性繊維）または天然および合成繊維の組み合わせから構成され得る。トップシートが不織ウエブを含むとき、ウエブは、多数の公知技術により製造され得る。例えば、ウエブは、紡糸結合され得るし、カーディングされ得るし、湿式載置され得るし、溶融ブローされ得るし、水力交絡され得るし、上記の組み合わせなどでもあり得る。
　バックシートは、好ましくは、少なくとも吸収製品のクロッチ領域において液体（例えば経血および／または尿）に対して不透過性であり、他の可撓性液体不透過性材料もまた用いられ得るけれども、好ましくは、薄いプラスチックフィルムから製造される。ここで用いられるものとして、「可撓性」という術語は、従順であり、ヒトの身体の一般的形状および輪郭に容易に合致する材料を称する。バックシートは、吸収性コアに吸収され、含有される滲出物が、ベッドシーツ、パンツ、パジャマおよび下着のような吸収製品に接触する製品を濡らすことを防止する。従って、バックシートは、製織または不織材料、ポリエチレンまたはポリプロピレンの熱可塑性フィルムのようなポリマー性フィルム、またはフィルムでコートされた不織材料のような複合材料を含み得る。適切なバックシートは、約０．０１２ｍｍ（０．５ミル）から０．０５１ｍｍ（２．０ミル）の厚さを有するポリエチレンフィルムである。典型的なポリエチレンフィルムは、名称Ｐ１８−１４０１の下でオハイオ州シンシナチのクロペイ（Ｃｌｏｐａｙ）・コーポレーションにより、および名称ＸＰ−３９３８５の下でインディアナ州テール・ホート（Ｔｅｒｒｅ　Ｈａｕｔｅ）のトレデガー（Ｔｒｅｄｅｇａｒ）・フィルム・プロダクツにより製造される。バックシートは、より布らしい外観を与えるために、好ましくは、エンボス加工され、および／またはつや消し仕上げされる。さらに、バックシートは、滲出物がバックシートを通過することをいまだ防止する一方で、蒸気が吸収性コアから出て行くことを許容し得る（すなわち、バックシートは呼吸可能である）。バックシートの大きさは、吸収性コアの大きさおよび選択される正確な吸収製品の設計により規定される。
　バックシートおよびトップシートは、吸収性コアの、それぞれ、着衣表面および身体表面に隣接して位置する。吸収性コアは、好ましくは、当該技術において周知のもののような付着手段（図３において示されていない）により公知であるいずれかの様式で、トップシート、バックシート、または両方と結合する。しかしながら、吸収性コア全体の一部が、トップシート、バックシート、または両方のいずれかに結合していない本発明の態様が考えられている。
　例えば、バックシートおよび／またはトップシートは、接着剤の均一連続層、接着剤のパターン化された層、または接着剤の分離した線、螺旋、または点の配列により、吸収性コアに、または互いに固定され得る。満足であることが見出された接着剤は、名称ＨＬ−１２５８またはＨ−２０３１の下でミネソタ州セントポールのＨ．Ｂ．ファラー（Ｆｕｌｌｅｒ）・カンパニーにより製造される。付着手段は、好ましくは、１９８６年３月４日に、ミネトラ（Ｍｉｎｅｔｏｌａ）らに発行された米国特許第４，５７３，９８６号において開示される接着剤のフィラメントの開放パターンネットワークを含み、それは参照によりここに組み込まれる。フィラメントの開放パターンネットワークの典型的な付着手段は、１９７５年１０月７日にスプラーグ・ジュニア（Ｓｐｒａｇｕｅ，Ｊｒ．）に発行された米国特許第３，９１１，１７３号、１９７８年１１月２２日にツワイエカー（Ｚｗｉｅｋｅｒ）らに発行された米国特許第４，７８５，９９６号、および１９８９年６月２７日にウエレニッツ（Ｗｅｒｅｎｉｃｚ）に発行された米国特許第４，８４２，６６６号において示される装置および方法により例示されるような螺旋パターンに旋回された数本の線の接着剤フィラメントを含む。これらの特許のそれぞれは、参照によりここに組み込まれる。別に、付着手段は、熱結合、圧力結合、超音波結合、動的機械的結合、または当該技術において公知であるいずれか他の適切な結合手段またはこれらの結合手段の組み合わせを含み得る。
　本発明のローションを付された脚部カフスが用いられ得る好ましい使い捨て吸収製品はおむつである。ここで用いられるものとして、「おむつ」という術語は、着用者の胴体下部の回りに着用される、一般に、乳幼児および失禁者により着用される吸収製品を称する。言葉を変えて言えば、「おむつ」という術語は、乳幼児おむつ、トレーニングパンツ、成人失禁デバイスなどを含む。本発明は、脚部カフスを含む生理用ナプキンおよびパンティライナーのような他のタイプの使い捨て製品にもまた適用可能である。
　図１は、構造の一部がおむつ２０の構造をより明確に示すために切欠され、着用者に接触するおむつ２０の部分が見るものに面する、その平坦に伸ばされた収縮していない状態における（すなわち、すべての弾性的に誘発された収縮が引き伸ばされている）本発明のおむつ２０の好ましい態様の平面図である。おむつ２０は、図１において、前方腰部領域２２、後方腰部領域２４、クロッチ領域２６および縦側エッジが３０と称され、末端エッジが３２と称されるおむつの外側エッジにより規定される周辺部２８を有するものとして示される。おむつ２０は、加えて、３４と称される横中心線および３６と称される縦中心線を有する。おむつ２０は、液体透過性トップシート３８、４０と称されるトップシート３８の頂部表面、液体不透過性バックシート４２、サイドエッジ４６を有し、吸収層４８および第１および第２のティッシュ層５０および５２のそれぞれを含む吸収性コア４４、１対のテープタブファスナー５４、サイドフラップ５８およびフラップ弾性部材６０をそれぞれ含むガスケットカフス５６、近位端６４、遠位端６６、内側表面６８、外側表面７０、第１末端７２および第２末端７４をそれぞれ有するバリヤカフス６２、および遠位端６６をトップシート頂部表面４０から離間するための離間弾性部材７７のような離間手段７６を具備する。おむつ２０は加えて、それぞれのバリヤカフス６２の閉じられた第１および第２の末端７２および７４を固定するためのグルービーズ７９のような接着手段７８を含む。接着手段７８が配置される領域は、前方閉鎖ゾーン８０および後方閉鎖ゾーン８２と称される。トップシート３８、吸収性コア４４、バックシート４２、および弾性的に収縮可能なガスケットカフス５６は、さまざまの周知の形状に組み立てられ得るけれども、好ましいおむつ形状は一般的に、１９７５年１月１４日にＫ．Ｂ．ビュエル（Ｂｕｅｌｌ）に発行された「使い捨ておむつのための収縮可能な側面部分（Ｃｏｎｔｒａｃｔａｂｌｅ　Ｓｉｄｅ　Ｐｏｒｔｉｏｎｓ　ｆｏｒ　Ｄｉｓｐｏｓａｂｌｅ　Ｄｉａｐｅｒ）」と言う表題の米国特許第３，８６０，００３号において記載されており、その特許は、参照によりここに組み込まれる。
　おむつ２０は、図１において、外側表面８６および外側表面８６に対向する内側表面８４を有するものとして示される。おむつ２０の内側表面８４は、使用の間に着用者の身体に隣接して位置するおむつ２０の部分を含む（すなわち、内側表面８４は一般的に、トップシート３８の少なくとも一部およびトップシート３８に結合し得る他の部材により形成される）。外側表面８６は、着用者の身体から離れて位置するおむつ２０の部分を含む（すなわち、外側表面８６は一般的に、バックシート４２の少なくとも一部およびバックシート４２に結合し得る他の部材により形成される）。ここで用いられるものとして、着用者に面するおむつ２０の部分またはその部材はまた、身体に面する表面とも称される。同様に、着用者とは逆向きに面する部分はまた、ここでは着衣に面する表面とも称される。
　図１は、トップシート３８およびバックシート４２が同じ広さであり、吸収性コア４４の長さおよび幅寸法より一般的に大きな長さおよび幅寸法を有するおむつ２０の好ましい態様を示す。トップシート３８はバックシート４２と結合しており、重ねられており、それによりおむつ２０の周辺部２８を形成する。
　おむつ２０は、それぞれ、おむつの周辺部２８の末端エッジ３２からおむつ２０の横中心線３４に向かって、おむつ２０の約１／４長から約１／３長の距離で延びる前方および後方腰部領域２２および２４を有する。腰部領域は、着用されるとき着用者の腰部を取り囲むおむつ２０の部分を含む。クロッチ領域２６は、腰部領域２２および２４の間のおむつ０の部分であり、着用されるとき、着用者の脚部の間に位置し、着用者の胴体下部を覆うおむつ２０の部分を含む。
　図２は、図１の線２−２に沿って取られた部分断面図であり、おむつ２０の後方腰部領域２４におけるおむつ構造を描写する。（前方腰部領域２２におけるおむつ構造は、後方腰部領域２４における構造と同一であることが理解されるべきである。）吸収性コアは、第１および第２のティッシュ層５０および５２により完全に包み込まれているものとして示される吸収層４８を含む。吸収性コア４４はトップシート３８とバックシート４２との間に配置される。トップシート３８とバックシート４２との両方は、サイドフラップ５８を規定するように吸収性コア４４のサイドエッジ４６を越えて伸びる。トップシート３８とバックシート４２との近接した領域は、接着剤８８により互いに接着により固定される。好ましい態様において、フラップの弾性部材６０は、ガスケットカフス５６がその領域において形成されない様に、前方腰部領域２２に伸びない。バリヤカフス６２は、トップシート３８に固定される分離した要素であるものとして示される。近位端６４は、接着剤９２によりトップシート３８に要素を固定することにより形成される。バリヤカフス６２の内側表面６８（ここでは、バリヤ脚部カフスの内側より表面ともまた称される）は、グルービーズ７９のような接着手段７８によりトップシートの頂部表面４０に固定される。それゆえ、遠位端６６は閉じられる。（すなわち、トップシートの頂部表面４０から離間しない。）遠位端６６は腰部領域においてトップシートの頂部表面４０から離間するように設計されないので、離間弾性部材７７はその領域において配置されないことは特記されるべきである。それゆえ、バリヤカフス６２は、この領域において、開放してもいないし、身体滲出物の流れを拘束する準備もしていない。
　図３は、図１の線３−３に沿って取られた部分断面図であり、着用者に適用される前に造形されるときのおむつ２０のクロッチ領域２６におけるおむつの構造を描写する（すなわち、おむつ２０は、弾性的収縮に供される）。吸収性コア４４は、第１および第２のティッシュ層５０および５２により完全に取り囲まれるものとして示される吸収性層４８を含む。吸収性コア４４は、トップシート３８とバックシート４２との間に配置される。トップシート３８とバックシート４２との両方はサイドフラップ５８を規定するように吸収性コア４４のサイドエッジ４６を越えて伸びる。トップシート３８とバックシート４２の隣接する領域は、接着剤８８により互いに接着により固定される。トップシート３８およびバックシート４２はまた、周辺部２８における縦側エッジ３０に隣接するフラップ弾性部材６０をもとり囲む。フラップ弾性部材６０は、弾性付着手段９０によりトップシートとバックシートとで形成されるサイドフラップ５８に固定される。それにより、弾性的に収縮可能なガスケットカフス５６はサイドフラップ５８およびフラップ弾性部材６０により形成される。ガスケットカフスは、おむつが着用されるときに着用者の皮膚に向かって配向される前方表面５７および前方表面に対向する後方表面５９を有する。バリヤカフス６２は、フラップ弾性部材６０と吸収性コア４４のサイドエッジ４６との間のトップシート３８にエレメントを固定することにより形成されるものとして示される。バリヤカフス６２の近位端６４は、接着剤９２によりトップシート３８にバリヤカフスエレメントを固定することにより形成される。離間弾性部材７７は、バリヤカフスエレメントの末端がそれ自体に対して折りたたまれて戻るときに形成されるトンネルに取り囲まれる。離間弾性部材７７は弾性的付着手段９４によりバリヤカフス６２に固定される。バリヤカフスの遠位端６６は、離間弾性部材７７の弾性的ギャザリング作用によりトップシートの頂部表面４０から離間する。それによりチャンネル９６が、少なくともバリヤカフス６２の近位端６４、遠位端６６および内側寄り表面６８により形成される。チャンネル９６は、おむつ２０が着用者から除去されるまで身体滲出物を拘束し、含有し、および保持する用意があるものとして示される。
　本発明のおむつは多数の周知形状を有し得るし、その吸収性コアは本発明に適合する。典型的な形状は、一般的に、１９７５年１月１４日にビュエル（Ｂｕｅｌｌ）に発行された米国特許第３，８６０，００３号、１９９２年９月２９日にビュエルらに発行された米国特許第５，１５１，０９２号、１９９３年６月２２日にビュエルらに発行された米国特許第５，２２１，２７４号において記載されている。これらの特許のそれぞれは参照によりここに組み込まれる。
　おむつ２０における使用にとって特に適切であるトップシート３８は、布帛技術の当業者にとって周知の手段によりカーディングされ、熱的に結合されたものである。本発明にとって満足なトップシートは、約２．２のデニールを有するステープル長のポリプロピレン繊維を含む。ここで用いられるものとして、「ステープル長の繊維」という術語は、少なくとも約１５．９ｍｍ（０．６２５インチ）の長さを有する繊維を称する。好ましくは、トップシートは、平方メートル当り約１４から約２５グラムの坪量を有する。適切なトップシートは、名称Ｐ−８の下でマサチューセッツ州ウォルポール（Ｗａｌｐｏｌｅ）のインターナショナル・ペーパー・カンパニーの部門のベラテック（Ｖｅｒａｔｅｃ），Ｉｎｃ．により製造される。おむつ２０のトップシート３８は、好ましくは、トップシートを通過する液体（例えば尿）の急速な移行を促進するように親水性材料で作られる。もしトップシートが疎水性材料で作られているならば、トップシートの少なくとも上方表面は、液体がトップシートをより急速に通過して移行するように親水性となるように処理されることが好ましい。このことは、身体滲出物が、トップシートを通して引き取られ、吸収性コアにより吸収されるよりむしろトップシートをあふれて流れ出るであろうようなことをなくす。トップシートは、それを界面活性剤で処理することにより親水性とされ得る。トップシートを界面活性剤で処理するための適切な方法には、トップシート材料を界面活性剤でスプレーすることおよび材料を界面活性剤に浸漬することが含まれる。その様な処理および親水性のより詳細な検討は、１９９１年１月２９日にレイジング（Ｒｅｉｓｉｎｇ）らに発行された「多層吸収層を有する吸収製品（Ａｂｓｏｒｂｅｎｔ　Ａｒｔｉｃｌｅｓ　ｗｉｔｈ　Ｍｕｌｔｉｐｌｅ　Ｌａｙｅｒ　Ａｂｓｏｒｂｅｎｔ　Ｌａｙｅｒｓ）」と言う表題の米国特許第４，９８８，３４４号および１９９１年１月２９日にレイジングに発行された「急速な獲得吸収性コアを有する吸収製品（Ａｂｓｏｒｂｅｎｔ　Ａｒｔｉｃｌｅｓ　ｗｉｔｈ　Ｒａｐｉｄ　Ａｃｑｕｉｒｉｎｇ　Ａｂｓｏｒｂｅｎｔ　Ｃｏｒｅｓ）」と言う表題の米国特許第４，９８８，３４５号において含まれ、それらのそれぞれはここでは参照により組み込まれる。
　ここで記載されるおむつの好ましい態様において、バックシート４２は、吸収性コアを越えて、おむつ周辺部全体の回りに、約１．３ｃｍから約６．４ｃｍ（約０．５から約２．５インチ）の最小距離で伸びる修正された砂時計形を有する。
　吸収性コア４４は、おむつ２０と一致するいずれの大きさまたは形状も採用し得る。おむつ２０の１つの好ましい態様は、第１の腰部領域において耳を有する非対称の修正されたＴ字形吸収性コア４４を有するが、しかし一般的に第２の腰部領域において長方形状を有する。広範な受容および商業的な成功を達成した本発明の吸収性コアとしての使用のための典型的な吸収構造は、１９８６年９月９日にワイズマン（Ｗｅｉｓｍａｎ）らに発行された「高密度吸収構造（Ｈｉｇｈ−Ｄｅｎｓｉｔｙ　Ａｂｓｏｒｂｅｎｔ　Ｓｔｒｕｃｔｕｒｅｓ）」と言う表題の米国特許第４，６１０，６７８号、１９８７年６月１６日にワイズマンらに発行された「２重層のコアを有する吸収製品（Ａｂｓｏｒｂｅｎｔ　Ａｒｔｉｃｌｅｓ　Ｗｉｔｈ　Ｄｕａｌ−Ｌａｙｅｒｅｄ　Ｃｏｒｅｓ）」と言う表題の米国特許第４，６７３，４０２号、１９８９年１２月１９日にアングスタッド（Ａｎｇｓｔａｄｔ）に発行された「ダスティング層を有する吸収性コア（Ａｂｓｏｒｂｅｎｔ　Ｃｏｒｅ　Ｈａｖｉｎｇ　Ａ　Ｄｕｓｔｉｎｇ　Ｌａｙｅｒ）」と言う表題の米国特許第４，８８８，２３１号、および１９８９年５月３０日にアレマニー（Ａｌｅｍａｎｙ）らに発行された「低密度および低坪量獲得ゾーンを有する高密度吸収部材（Ｈｉｇｈ　Ｄｅｎｓｉｔｙ　Ａｂｓｏｒｂｅｎｔ　Ｍｅｍｂｅｒｓ　Ｈａｖｉｎｇ　Ｌｏｗｅｒ　Ｄｅｎｓｉｔｙ　ａｎｄ　Ｌｏｗｅｒ　Ｂａｓｉｓ　Ｗｅｉｇｈｔ　Ａｃｑｕｉｓｉｔｉｏｎ　Ｚｏｎｅｓ）」と言う表題の米国特許第４，８３４，７３５号において記載されている。さらに、吸収性コアは、１９９３年８月１０日にアレマニーらに発行された「弾性的腰部特徴および高められた吸収性を有する吸収製品（Ａｂｓｏｒｂｅｎｔ　Ａｒｔｉｃｌｅ　Ｗｉｔｈ　Ｅｌａｓｔｉｃ　Ｗａｉｓｔ　Ｆｅａｔｕｒｅ　ａｎｄ　Ｅｎｈａｎｃｅｄ　Ａｂｓｏｒｂｅｎｃｙ）」と言う表題の米国特許第５，２３４，４２３号および１９９２年９月１５日にヤング（Ｙｏｕｎｇ）、ラボン（ＬａＶｏｎ）およびテイラー（Ｔａｙｌｏｒ）に発行された「失禁管理のための高効率吸収製品（Ｈｉｇｈ　Ｅｆｆｉｃｉｅｎｃｙ　Ａｂｓｏｒｂｅｎｔ　Ａｒｔｉｃｌｅｓ　Ｆｏｒ　Ｉｎｃｏｎｔｉｎｅｎｃｅ　Ｍａｎａｇｅｍｅｎｔ）」と言う表題の米国特許第５，１４７，３４５号において詳細に説明される吸収性貯蔵コアの上に位置する化学的に硬化された繊維の獲得／分配コアを含む２重コアシステムをも含み得る。これらの特許の全ては参照によりここに組み込まれる。
　好ましい態様において、おむつ２０は、液体および他の身体滲出物の向上した封入を提供するための弾性化されたバリヤ脚部カフス６２および弾性化されたガスケットカフス５６、ならびに横の張力が着用者についておむつを維持するようにおむつの周辺にわたって維持されるように重なる形状で前方腰部領域２２および後方腰部領域２４を維持する側面閉鎖を形成するファスナーシステム５４を具備する。おむつ２０はまた、おむつ２０のより快適で輪郭形成をする適合およびより有効な着用を提供するように腰部領域２２および２４において弾性的腰部特徴（図示せず）および／または弾性化されたサイドパネル（図示せず）をも含み得る。
　液体および他の身体滲出物の向上した封入を提供する弾性化された脚部カフスは、米国特許第３，８６０，００３号、１９９０年３月２０日にアジズ（Ａｚｉｚ）らに発行された米国特許第４，９０９，８０３号、１９８７年９月２２日にローソン（Ｌａｗｓｏｎ）に発行された米国特許第４，６９５，２７８号、および１９８９年１月３日にドラグー（Ｄｒａｇｏｏ）に発行された米国特許第４，７９５，４５４号において記載されるものを含む多数の異なる形状で構築され得るものであり、それぞれは参照によりここに組み込まれる。それぞれの弾性化された脚部カフスは、脚部領域における身体滲出物の漏れを減少させるための幾つかの異なる態様を含み得る。（脚部カフスはまた、ときどき脚部バンド、サイドフラップ、バリヤカフス、または弾性カフスとも称さ得るし、称される。）参照によりここに組み込まれる米国特許第３，８６０，００３号は、弾性化された脚部カフス（ガスケットカフス）を提供するためにサイドフラップおよび１以上の弾性部材を有する収縮性の脚部開口を提供する使い捨ておむつを記載する。１９９０年３月２０日にアジズらに発行された「弾性化されたフラップを有する使い捨て吸収製品（Ｄｉｓｐｏｓａｂｌｅ　Ａｂｓｏｒｂｅｎｔ　Ａｒｔｉｃｌｅ　Ｈａｖｉｎｇ　Ｅｌａｓｔｉｃｉｚｅｄ　Ｆｌａｐｓ）」と言う表題の米国特許第４，９０９，８０３号は参照によりここに組み込まれ、脚部領域の封入を向上させるための「立ち上がった」弾性化されたフラップ（バリヤカフス）を有する使い捨ておむつを記載する。１９８７年９月２２日にローソンに発行された「２重カフスを有する吸収製品（Ａｂｓｏｒｂｅｎｔ　Ａｒｔｉｃｌｅ　Ｈａｖｉｎｇ　Ｄｕａｌ　Ｃｕｆｆｓ）」と言う表題の米国特許第４，６９５，２７８号は、参照によりここに組み込まれ、ガスケットカフスおよびバリヤカフスを含む２重カフスを有する使い捨ておむつを記載する。それぞれの弾性化された脚部カフスは、上記の脚部バンド、サイドフラップ、バリヤカフス、または弾性カフスのいずれかと同様であるように造形され得るけれども、弾性化された脚部カフスは以下に詳細に記載されるバリヤ脚部カフス６２およびガスケットカフス５６を含むことが好ましい。
　それぞれのバリヤカフス６２は、近位端６４、遠位端６６、内側表面６８（ここでは内側寄り表面ともまた称される）および外側表面７０（ここでは外側寄り表面ともまた称される）を有する可撓性部材である。おむつが着用されるとき、内側表面はおむつの内部に向かって配向し、外側表面は着用者の皮膚に向かって配向する。ここで用いられるものとして、可撓性と言う術語は、従順であり、身体の一般的形状および輪郭に容易に合致する材料を称する。バリヤカフス６２は、ポリプロピレン、ポリエステル、レーヨン、ナイロン、発泡体、プラスチックフィルム、形成されたフィルム、および弾性発泡体のような広範な材料から製造され得る。多数の製造技術がバリヤカフスを製造するために用いられ得る。例えば、バリヤカフス６２は、製織され、不織布から形成され、紡糸結合され、紡糸結合されて溶融ブローされて紡糸結合され、カーティングされ、コートされ、積層されるなどされ得る。特に好ましいバリヤカフス６２は、それを液体不透過性にする仕上げ剤または界面活性剤を含まないポリプロピレン材料を含む。特に好ましいポリプロピレン材料は、セレストラ（Ｃｅｌｅｓｔｒａ）としてクラウン・ゼラーべーク（Ｚｅｌｌｅｒｂａｃｈ）・カンパニーにより製造される。加えて、本発明の疎水性ローション被覆のために、バリヤカフスは親水性材料から作られ得る。
　図１および３において示される様に、バリヤカフス６２および特に近位端６４は、ガスケットカフス５６の内側寄りに好ましくは隣接して、おむつの縦側サイドエッジ３０に隣接して配置される。「内側寄り」という術語は、それに沿って特定のガスケットカフス５６が配置されるおむつ２０のそれぞれのエッジに平行であるおむつの中心線（３４または３６、それぞれ）に向かう方向として定義される。バリヤカフス６２は、滲出物、特に容易に吸収されず、トップシートの頂部表面４０に沿って浮かぶ傾向がある緩い糞便が、それがガスケットカフス５６と接触し得る前にバリヤカフス６２に接触する様に、ガスケットカフス５６の内側寄りに配置される。バリヤカフス６２は、身体滲出物の流れに対してより有効な２重の拘束を与えるようにガスケットカフス５６に隣接して配置される。バリヤカフス６２は好ましくは、ガスケットカフス５６のフラップ弾性部材６０とおむつ２０の縦中心線３６との間に配置される。最も好ましくは、バリヤカフス６２は、おむつ２０のクロッチ領域２６において、フラップ弾性部材６０と吸収性コア４４のサイドエッジ４６との間に配置される。
　近位端６４と遠位端６６は、互いに離間した関係にあり、バリヤカフス６２の幅を規定する。近位端および遠位端６４および６６はそれぞれ、平行関係、非平行関係、直線関係または曲線関係にあり得る。加えて、バリヤカフス６２は、円形、正方形、長方形または図３において示されるようないずれか他の形状を含むさまざまの異なる断面領域を有し得る。好ましくは、近位端６４は、均一な幅を有するバリヤカフス６２を与えるように平行で直線の関係で遠位端６６から離間する。それぞれのバリヤカフス６２は、好ましくは、少なくとも約５ｍｍ、好ましくは約１０ｍｍから約２５ｍｍの幅を有する。
　図２および３において示されるおむつ２０の好ましい態様は、トップシート３８に結合するバリヤカフス６２を備える。「結合した」という術語は、バリヤカフス６２をおむつ２０に固着させるためのいずれの手段も含み、バリヤカフス６２が、トップシート３８に直接または間接に付着する近位端６４を有する分離要素である態様（すなわち構成的）または近位端６４がトップシートの連続的で分割されない要素であるようなバリヤカフス６２がトップシート３８と同じ要素または材料から作られる態様（すなわち一体的）を含む。バリヤカフス６２は、代わりに、サイドフラップ５８、バックシート４２、吸収性コア４４、トップシート３８またはおむつ２０のこれらのまたは他の要素のいずれかの組み合わせに結合し得る。好ましいおむつ２０において、バリヤカフス６２はトップシート３８について構成的である。構成的バリヤカフス６２は好ましくは、接着剤９２によりトップシートに固定される材料の単独のストリップにより形成され、遠位端６６は材料の末端を折りたたんでそれ自体に戻すことにより形成される。
　遠位端６６は、好ましくは、滲出物の流れに対してより有効なバリヤを与えるために近位端６４の内側寄りに配置される。遠位端６６は、その反転を防ぐために接着手段７８により近位端６４の内側寄りに維持される。遠位端６６は代わりに、近位端６４に対して他の位置に配置され得るけれども、その様な位置は好ましくない。
　遠位端６６は好ましくは、それがトップシート３８の頂部表面４０から離間するようにおむつ２０の少なくともクロッチ領域２６においていずれか他の要素に固定されない。遠位端６６は好ましくは、バリヤカフス６２が製品の封入性を高めるようにチャンネル９６を形成するようにトップシート３８の頂部表面４０から離間する。ここで用いられるものとして、「離間した」とは、何回かトップシート３８の頂面４０に隣接する位置を取ることを含む、遠位端６６がトップシート３８の頂面４０に対して１以上の位置を取り得る態様を含む。遠位端６６とトップシート３８の頂面４０との間の距離は、遠位端６６が可能な限り遠くまでトップシートから離間するように位置するとき、遠位端６６からトップシート３８の最近接部分に引かれる線に沿って測定される。（すなわち、弾性的に収縮した位置において。）好ましくは、遠位端６６は、少なくとも約２ｍｍ、より好ましくは、約５ｍｍ（約１／４″）から約１０ｍｍ（３／８″）の高さまでトップシート３８から離間する。
　チャンネル９６は、少なくとも、バリヤカフス６２の近位端および遠位端６４および６６および内側寄り表面６８に沿って形成される。チャンネル９６は、滲出物がトップシート３８を横切って動き、または浮かぶ傾向があるとき、滲出物の流れに対するバリヤを形成する。従って、チャンネル９６は、おむつ２０が除去され得るまで滲出物を保持し、含有する。
　バリヤ脚部カフスに加えて、本発明の吸収製品は好ましくは、ガスケットカフス５６を具備する。弾性的に収縮性のガスケットカフス５６は、ガスケットカフス５６が着用者の脚部に当接しておむつ２０を引張り、保持する傾向を有する様に、好ましくはそれぞれの縦側エッジ３０に沿っておむつ２０の周辺部２８に隣接して配置される。ガスケットカフス５６は、おむつの技術において周知である幾つかの手段のいずれかを含み得るけれども、特に好ましいガスケットカフス構造は、可撓性サイドフラップ５８およびフラップ弾性部材６０を含み、それは１９７５年１月１４日にビュエルに発行された米国特許第３，８６０，００３号に詳細に記載され、参照によりここに組み込まれる。加えて、弾性的に収縮性のガスケットカフス５６を有する使い捨ておむつを製造するための適切な方法および装置は、１９７８年３月２８日にＫ．Ｂ．ビュエルに発行された「使い捨て吸収製品のあらかじめ決定された隔離された部分に分離した伸長された弾性的ストランドを連続的に付着させるための方法および装置（Ｍｅｔｈｏｄ　ａｎｄ　Ａｐｐａｒａｔｕｓ　ｆｏｒ　Ｃｏｎｔｉｎｕｏｕｓｌｙ　Ａｔｔａｃｈｉｎｇ　Ｄｉｓｃｒｅｔｅ，Ｓｔｒｅｔｃｈｅｄ　Ｅｌａｓｔｉｃ　Ｓｔｒａｎｄｓ　ｔｏ　Ｐｒｅｄｅｔｅｒｍｉｎｅｄ　Ｉｓｏｌａｔｅｄ　Ｐｏｒｔｉｏｎｓ　ｏｆ　Ｄｉｓｐｏｓａｂｌｅ　Ａｂｓｏｒｂｅｎｔ　Ａｒｔｉｃｌｅｓ）」と言う表題の米国特許第４，０８１，３０１号において記載されており、その特許は参照によりここに組み込まれる。
　サイドフラップ５８は極めて可撓性であるべきであり、従って、フラップ弾性部材６０が、着用者の脚部または腰部の回りにガスケットカフス５６を与えるようにサイドフラップ５８をギャザリングするように収縮性であるべきである。サイドフラップ５８は、周辺部２８と吸収性コア４４のエッジとの間のおむつ２０の部分である。従って、図１において示される本発明の好ましい態様において、サイドフラップ５８は、バックシート４２の延長および少なくともクロッチ領域２６におけるおむつ２０の吸収性コア４４のサイドエッジ４６からのおよびそれに沿ってのトップシート３８から形成される。
　フラップ弾性部材６０は、普通に拘束されていない形状において、フラップ弾性部材６０がサイドフラップ５８を有効に収縮させるかまたはギャザリングするように弾性的に収縮可能な条件下でサイドフラップ５８に固定される。フラップ弾性部材６０は、少なくとも２つの方式で弾性的に収縮可能な条件でサイドフラップ５８に固定され得る。例えば、フラップ弾性部材６０は、サイドフラップ５８が収縮していない状態にある間に、伸長され、サイドフラップ５８に固定され得る。代わりに、サイドフラップ５８は、例えばひだ付けにより収縮され得、フラップ弾性部材６０は、フラップ弾性部材６０がその弛緩していないかまたは伸長していない状態にある間に収縮したサイドフラップ５８に固定され得る。
　図１において例示される態様において、フラップ弾性部材６０は本質的に、おむつ２０のクロッチ領域２６においてサイドフラップ５８の全長に伸びる。代わりに、弾性部材６０は、おむつ２０の全長に伸び得るし、または弾性的に収縮性のガスケットカフスを提供するのに適切ないずれか他の長さに伸び得る。フラップ弾性部材６０の長さは、おむつの設計により規定される。
　図３のおむつ２０において、フラップ弾性部材６０は、それを弾性付着手段９０でサイドフラップ５８に固定することによりサイドフラップ５８に結びつく。弾性付着手段９０は、可撓性であり、その伸長した状態でフラップ弾性部材を保持するように十分に接着性であるべきである。ここでの弾性的接着手段９０は、好ましくは、フィンドレー（Ｆｉｎｄｌｅｙ）・アドヒーシブズ５８１としてウィスコンシン州エルム・グローブ（Ｅｌｍ　Ｇｒｏｖｅ）のフィンドレー・アドヒーシブズ・インコーポレーテッドにより販売されるようなホットメルト接着剤で作られるグルービーズである。フラップ弾性部材６０がおむつ２０に配置され固定され得る方式のより詳細な記載は、１９８１年３月３日にストリックランド（Ｓｔｒｉｃｋｌａｎｄ）およびビッシャー（Ｖｉｓｓｃｈｅｒ）に発行された米国特許第４，２５３，４６１号および１９７８年３月２８日にビュエルに発行された米国特許第４，０８１，３０１号において見出され得るものであり、それらの両方は参照によりここに組み込まれる。
　適切であることが見出された１つのフラップ弾性部材６０は、商標Ｌ−１９００ラバー・コンパウンド（Ｒｕｂｂｅｒ　Ｃｏｍｐｏｕｎｄ）の下でバージニア州スチュワート（Ｓｔｅｗａｒｔ）のイーストハンプトン（Ｅａｓｔｈａｍｐｔｏｎ）・ラバー・スレッド・カンパニーから入手可能である０．１８ｍｍと（ｂｙ）１．５ｍｍの断面を有し、天然ゴムから作られる弾性ストランドである。他の適切なフラップ弾性部材６０は、ノースカロライナ州スコットランドのフルフレックス（Ｆｕｌｆｌｅｘ）・カンパニーにより商標フルフレックス９２１１の下で販売される弾性テープのように天然ゴムから作られ得る。フラップ弾性部材６０はまた、当該技術において周知であるいずれの熱収縮性弾性材料をも含み得る。他の適切なフラップ弾性部材６０は、エラストマー性フィルム、ポリウレタンフィルム、エラストマー性発泡体、および形成された弾性スクリムを含む当該技術において周知である広範な材料を含み得る。
　加えて、フラップ弾性部材６０は、多数の形状を取り得る。例えば、フラップ弾性部材６０の幅は、約０．２５ｍｍ（０．０１インチ）から約２５ｍｍ（１．０インチ）以上で変化し得る。フラップ弾性部材６０は、弾性材料の１本のストランドを含み得るし、または弾性材料の幾つかの平行または非平行のストランドを含み得る。または、フラップ弾性部材６０は直線もしくは曲線であり得る。さらに、フラップ弾性部材６０は、当該技術において周知である幾つかの方式のいずれかでおむつ２０に張り付けられ得る。例えば、フラップ弾性部材６０はさまざまの結合パターンを用いておむつ２０に超音波で結合され、熱／圧力シーリングされ得るし、または弾性部材６０は単純におむつ２０に糊付けされ得る。
　弾性化された腰部特徴は好ましくは、１９８５年５月７日にキエビッド（Ｋｉｅｖｉｔ）らに発行された米国特許第４，５１５，５９５号、１９９１年６月２５日にロバートソン（Ｒｏｂｅｒｔｓｏｎ）に発行された米国特許第５，０２６，３６４号、および１９９２年９月２９日にビュエルらに発行された上記参照された米国特許第５，１５１，０９２号において記載されるものを含む多数の異なる形状で構築され得る弾性化されたウエストバンドを含み、これらの参照文献のそれぞれは参照によりここに組み込まれる。
　弾性化されたサイドパネルは、多数の形状で構築され得る。おむつの耳（耳フラップ）に位置する弾性化されたサイドパネルを有するおむつの例は、１９８９年８月１５日にウッド（Ｗｏｏｄ）らに発行された米国特許第４，８５７，０６７号、１９８３年５月３日にシアラファ（Ｓｃｉａｒａｆｆａ）に発行された米国特許第４，３８１，７８１号、１９９０年７月３日にバン・ゴンペル（Ｖａｎ　Ｇｏｍｐｅｌ）らに発行された米国特許第４，９３８，７５３号、および１９９２年９月２９日にビュエルらに発行された米国特許第５，１５１，０９２号において開示され、それらのそれぞれは参照によりここに組み込まれる。
　典型的なファスナーシステム５４は、１９８９年７月１１日にスクリップス（Ｓｃｐｉｐｐｓ）に発行された米国特許第４，８４６，８１５号、１９９０年１月１６日にネステガード（Ｎｅｓｔｅｇａｒｄ）に発行された米国特許第４，８９４，０６０号、１９９０年８月７日にバットレル（Ｂａｔｔｒｅｌｌ）に発行された米国特許第４，９４６，５２７号、１９７４年１１月１９日にビュエルに発行された米国特許第３，８４８，５９４号、１９８７年５月５日にヒロツらに発行された米国特許第Ｂ１　４，６６２，８７５号、および１９９２年９月２９日にビュエルらに発行された米国特許第５，１５１，０９２号において開示され、それらのそれぞれは参照によりここに組み込まれる。
　図４は、着用者に配置される前のその弾性的に収縮した位置におけるおむつ２０の斜視図である。トップシート３８はおむつ２０の身体に接触する表面として示され、バックシート４２は着用者の身体から離れて配置される。ガスケットカフス５６は、フラップ弾性部材（図４においては示されていない）によりギャザリングされるかまたは収縮するものとして示される。おむつ２０は、ガスケットカフス５６に隣接し、内側寄りに伸びる２つのバリヤカフス６２を有するものとして示される。遠位端６６は、おむつ２０に沿って縦に伸びるチャンネル９６を提供するようにクロッチ領域２６において離間弾性部材（図示せず）によりギャザリングされ、収縮するものとして示される。加えて、バリヤカフス６２の末端７２および７４は、着用者に快適さを提供し、バリヤカフスの反転を防ぐ様に、およびおむつの着用の容易さのために前方および後方閉鎖ゾーン８０および８２のそれぞれにおいて閉じて固定される。
　おむつ２０は、着用者の後方の下に後方腰部領域２４を配置し、前方腰部領域２２が着用者の前方を横切って位置するようにおむつ２０の残りの部分を着用者の脚部の間に引張ることにより着用者に適用される。次いで、テープタブファスナー５４の末端は、好ましくは、おむつ２０の外側に面する領域に固定される。この様式において、バリヤカフス６２は着用者のクロッチ領域において配置されるべきであり、本明細書で以前に記載された配置および機能を与えるべきである。一旦適用されると、バリヤカフス６２の遠位端６６は鼠径部領域を通って伸び、着用者の臀部の両方に沿って上方に分岐する。両方のバリヤカフス６２は着用者の腿を取り囲まない。しかしながら、ガスケットカフス５６は腿を取り囲み、腿に対するガスケット作用を作り出す。バリヤカフス６２の末端は、バリヤカフスの反転を防ぐために、適用と使用の間の着用者の快適さのために、および適用の容易さのためにトップシート３８に固定される。
　本発明のローションを付されたカフスはまたトレーニングパンツにおいても有用である。ここで用いられるものとして、「トレーニングパンツ」という術語は、固定された側面および脚部の開口を有する使い捨て着衣を称する。トレーニングパンツは、着用者の脚部を脚部の開口に挿入し、トレーニングパンツを着用者の胴体下部のまわりの位置にスライドさせることにより着用者について所定の位置に配置される。適切なトレーニングパンツは、１９９３年９月２１日にハッス（Ｈａｓｓｅ）らに発行された米国特許第５，２４６，４３３号において開示される。本発明のローションを付されたカフスは、トレーニングパンツとおむつの組み合わせすなわち「ハイブリッド」である吸収製品に対してもまた適用可能である。
　本発明のローションを付されたトップシートが有用であるもう１つの使い捨て吸収製品は失禁製品である。「失禁製品」という術語は、それが成人または他の失禁者により着用されるかどうかにかかわらず、パッド、下着（パッドがベルトなどのような同じタイプの懸垂系により適所に保持される）、吸収製品のための挿入物、吸収製品のためのキャパシティブースター、ブリーフ、ベッドパッドなどを称する。適切な失禁製品は、１９８１年３月３日にストリックランド（Ｓｔｒｉｃｋｌａｎｄ）らに発行された米国特許第４，２５３，４６１号、ビュエルに発行された米国特許第４，５９７，７６０号および第４，５９７，７６１号、上記米国特許第４，７０４，１１５号、アーム（Ａｈｒ）らに発行された米国特許第４，９０９，８０２号、１９９０年１０月２３日にジプソン（Ｇｉｐｓｏｎ）らに発行された米国特許第４，９６４，８６０号、１９９１年１月３１日にノエル（Ｎｏｅｌ）らにより出願された米国特許出願シリアル番号第０７／６３７，０９０号（１９９２年７月２３日に公開されたＰＣＴ公開番号ＷＯ９２／１１８３０）において開示される。
Ｂ．ローション組成物
　本発明のローション組成物は、２０℃、すなわち、周囲温度で固形であり、よりしばしば半固形である。「半固形」により、ローション組成物は典型的に偽可塑性または可塑性の流体のレオロジーを有することを意味する。剪断が掛けられないとき、ローション組成物は半固形の外観を有し得るが、しかし、剪断率が増加するとき流れるようにされ得る。このことは、ローション組成物は主に固形成分を含むが、それは一部で副次的な液体成分をもまた含むと言う事実による。
　本発明のローション組成物は、ローションのマイグレーションを最小化するために室温で少なくとも半固形である。加えて、ローション組成物は、好ましくは、４５℃を超え得る潜在的な「ストレスの多い」貯蔵条件（例えばアリゾナの倉庫、フロリダのカー・トランクなど）を上回る最終融点（１００％液体）を有する。
　特に、本発明のローション組成物は次の溶融プロフィールを有するべきである。
　周囲温度で固形または半固形であることにより、これらのローション組成物は、それが適用されるおむつの内部に流れ、移動する傾向を有さない。このことは、所望の治療的または保護的なローションのコーティングの利益を与えるためにより少ないローション組成物が必要とされることを意味する。
　ここで用いられるものとして、「脚部カフス」という術語は、バリヤカフス６２、ガスケットカフス５６、並びにその組み合わせおよび変形のいずれをも含む。
　本発明によるローションを付されたおむつ製品の製造において、ローション組成物は好ましくは、おむつの脚部カフスの身体に接触する表面（すなわち、身体に面する表面）に与えられる。ここで定義されるものとして、バリヤ脚部カフスの身体に接触する表面は、通常は外側表面であり、ガスケット脚部カフスの身体に接触する表面は、通常前方表面である。しかしながら、ローションはカフス材料のどれほどかを貫通し得るので、それで、脚部カフスの着衣に接触する表面（すなわち、バリヤ脚部カフスの内側表面および／またはガスケット脚部カフスの後方表面）にローションを与えることもまた明らかに本発明の範囲の中にある。
　脚部カフスの上記表面に与えられるとき、本発明のローション組成物は、通常の接触、着用者の動き、および／または体温により着用者の皮膚に移動可能である。重要なことに、本発明において開示されるローションは、カフスが着用者の皮膚に接触する領域においてカフスと皮膚との間の摩擦を最小化し、その結果、皮膚の刺激をより少なくする。
　本発明のおむつのバリヤ脚部カフスおよび／またはガスケット脚部カフスは、有効量のローション組成物を含む。ここで用いられるものとして、「有効量のローションコーティング」という術語は、おむつの脚部カフスに与えられるとき、カフスが着用者の皮膚に接触する領域におけるカフスと皮膚との間の摩擦を少なくすることについて有効であり、結果として皮膚の刺激をより少なくするある量の特定のローション組成物を称する。ローションはまた、着用者の皮膚へのＢＭの付着を減少させることについても有効である。もちろん、ローションコーティングの有効量は、かなりの程度まで、用いられる特定のローション組成に依存するであろう。
　本発明のローション組成物は、（１）エモリエント、（２）エモリエントのための固定剤、（３）任意に親水性界面活性剤、および（４）他の任意成分を含む。
　エモリエント、固定剤、および任意成分を含む製剤化されたローション組成物の粘度は、ローションがおむつの内部に流れ込むことを防ぐことが可能なくらい高くあるべきである。不運にも、高い粘度は、処理上の問題なしに適用することが困難であるローション組成物にもまた導き得る。それゆえ、バランスが達成されねばならず、それで、粘度は、おむつの脚部カフスの身体に接触する表面上にローション組成物が局在するのを維持するのに十分に高いがしかし、処理上の問題を引き起こすほどには高くない。ローション組成物のための適切な粘度は、典型的に、６０℃で測定して、約１から約５０００センチポイズ、好ましくは約５から約２００センチポイズ、より好ましくは約１０から約１００センチポイズの範囲を取る。
１．エモリエント
　これらのローション組成物におけるかぎとなる活性成分は１以上のエモリエントである。ここで用いられるものとして、エモリエントは、皮膚を軟化し、鎮静させ、従順にし（ｓｕｐｐｌｅ）、被覆し、潤滑化し、湿潤化し、または清浄化する材料である。エモリエントは典型的には、皮膚の沈静化、湿潤化、および潤滑化のようなそれらの目的の幾つかを達成する。本発明の目的のために、これらのエモリエントは、２０℃、すなわち周囲温度で可塑的または流体コンシステンシーのいずれかを有する。この特定のエモリエントのコンシステンシーは、ローション組成物が、柔軟で、潤滑的で、ローションのような感じを与えることを可能とする。
　本発明において有用なエモリエントはまた、実質的に水分を含まない。「実質的に水分を含まない」と言う文言により、水がエモリエントに故意に加えられないことが意味される。エモリエントへの水分の付加は、本発明のローション組成物の調製または使用において必要ではなく、付加的な乾燥工程で必要であり得るかもしれない。しかしながら、例えば、周囲の湿度の結果として取り込まれるエモリエントの中の副次的または痕跡量の水分は、悪影響なしに許容され得る。典型的に、本発明において用いられるエモリエントは、約５％以下の水分、好ましくは約１％以下の水分、最も好ましくは約０．５％以下の水分を含む。
　本発明において有用なエモリエントは、石油系、脂肪酸エステルタイプ、アルキルエトキシレートタイプ、脂肪酸エステルエトキシレート、脂肪アルコールタイプ、ポリシロキサンタイプ、またはこれらのエモリエントの混合物であり得る。適切な石油系エモリエントは、１６から３２炭素原子の鎖長を有する炭化水素または炭化水素の混合物を含む。それらの鎖長を有する石油系炭化水素は、鉱油（「液体ペトロラタム」としてもまた知られる）およびペトロラタム（「ミネラルワックス」、「石油ゼリー」および「ミネラルゼリー」としてもまた知られる）を含む。鉱油とは通常、１６から２０の炭素原子を有する炭化水素のより粘性の少ない混合物を称する。ペトロラタムとは通常、１６から３２の炭素原子を有する炭化水素のより粘性の高い混合物を称する。ペトロラタムと鉱油とは、本発明のローション組成物にとって特に好ましいエモリエントである。
　適切な脂肪酸エステルタイプのエモリエントには、Ｃ１２−Ｃ２８脂肪酸、好ましくはＣ１６−Ｃ２２飽和脂肪酸、および短鎖（Ｃ１−Ｃ８、好ましくはＣ１−Ｃ３）１価アルコールから誘導されたものが含まれる。その様なエステルの典型例には、メチルパルミテート、メチルステアレート、イソプロピルラウレート、イソプロピルミリステート、イソプロピルパルミテート、エチルヘキシルパルミテートおよびそれらの混合物が含まれる。適切な脂肪酸エステルエモリエントはまた、ラウリルラクテートおよびセチルラクテートのようなより長鎖の脂肪アルコール（Ｃ１２−Ｃ２８、好ましくはＣ１２−Ｃ１６）および例えば乳酸のようなより短鎖の脂肪酸のエルテルから誘導され得る。
　適切なアルキルエトキシレートタイプのエモリエントには、約２から約３０の平均エトキシル化度を有するＣ１２−Ｃ２２脂肪アルコールエトキシレートが含まれる。好ましくは、脂肪アルコールエトキシレートエモリエントは、約２から約２３の範囲を取る平均エトキシル化度を有するラウリル、セチル、およびステアリルエトキシレート並びにそれらの混合物からなる群より選択される。その様なアルキルエトキシレートの典型的には、ラウレス（ｌａｕｒｅｔｈ）−３（３の平均エトキシル化度を有するラウリルエトキシレート）、ラウレス−２３（２３の平均エトキシル化度を有するラウリルエトキシレート）、セテス（ｃｅｔｅｔｈ）−１０（１０の平均エトキシル化度を有するアセチルアルコールエトキレート）およびステアレス（ｓｔｅａｒｅｔｈ）−１０（１０の平均エトキシル化度を有するステアリルアルコールエトキシレート）が含まれる。これらのアルキルエトキシレートエモリエントは、典型的には、約１：１から約１：５、好ましくは約１：２から約１：４のアルキルエトキシレートエモリエント対石油系エモリエントの重量比で、ペトロラタムのような石油系エモリエントと組み合わせで用いられる。
　適切な脂肪アルコールタイプのエモリエントには、Ｃ１２−Ｃ２２脂肪アルコール、好ましくはＣ１６−Ｃ１８脂肪アルコールが含まれる。典型例には、セチルアルコールおよびステアリルアルコール、並びにそれらの混合物が含まれる。これらの脂肪アルコールエモリエントは、典型的に、約１：１から約１：５、好ましくは約１：１から約１：２の脂肪アルコールエモリエント対石油系エモリエントの重量比で、ペトロラタムのような石油系エモリエントと組み合わせで用いられる。
　本発明における使用のとっての他の適切なタイプのエモリエントにはポリシロキサン化合物が含まれる。一般的に、本発明における使用のために適切なポリシロキサン材料には、以下の構造、すなわち、
（式中、Ｒ１およびＲ２は、それぞれ独立のシロキサンモノマー性ユニットについて、それぞれ独立に、水素、または何れかのアルキル、アリール、アルケニル、アルカリール、アラキル、シクロアルキル、ハロゲン化炭化水素または他のラジカルでありうる）のモノマー性シロキサンユニットを有するものが含まれる。その様なラジカルのいずれもが置換されたものかまたは置換されないものであり得る。いずれか特定のモノマー性ユニットのＲ１およびＲ２ラジカルは、次の隣接するモノマー性ユニットの対応する官能基とは異なり得る。加えて、ポリシロキサンは、直鎖か、分岐鎖か、または環構造を有するかのいずれかであり得る。ラジカルＲ１およびＲ２は加えて、独立に、限定はされないが、シロキサン、ポリシロキサン、シラン、およびポリシランのような他のケイ素含有官能基であり得る。ラジカルＲ１およびＲ２は、例えば、アルコール、カルボン酸、フェニル基およびアミン官能基を含むさまざまの有機官能基のいずれかを含み得る。
　典型的なアルキルラジカルは、メチル、エチル、プロピル、ブチル、ペンチル、ヘキシル、オクチル、デシル、オクタデシルなどである。典型的なアルケニルラジカルは、ビニル、アリルなどである。典型的なアリールラジカルは、フェニル、ジフェニル、ナフチルなどである。典型的なアルカリールラジカルは、トイル、キシリル、エチルフェニルなどである。典型的なアラルキルラジカルは、ベンジル、アルファ−フェニルエチル、ベーターフェニルエチル、アルファ−フェニルブチルなどである。典型的なシクロアルキルラジカルは、シクロブチル、シクロペンチル、シクロヘキシルなどである。典型的なハロゲン化炭化水素ラジカルは、クロロメチル、ブロモエチル、テトラフルオレチル、フルオレチル、トリフルオレチル、トリフルオロトロイル（ｔｒｉｆｌｕｏｒｏｔｌｏｙｌ）、ヘキサフルオロキシリルなどである。
　有用なポリシロキサンの粘度は、ポリシロキサンが流動可能であるかまたはおむつの脚部カフスへの適用のために流動可能であるようにされ得る限り、ポリシロキサンの粘度が一般に変化するのと同じくらい広く変化し得る。このことは、それに限定するのではないが、（３７℃でガラス粘度計により測定されるとき）５センチストークスから約２０，０００，０００センチストークスと同じくらいに低い粘度を含み得る。好ましくは、ポリシロキサンは、３７℃で、約５から約５，０００センチストークス、より好ましくは約５から約２，０００センチストークス、最も好ましくは約１００から約１０００センチストークスの範囲を取る粘度を有する。それ自体流動に対して抵抗性である高粘度ポリシロキサンは、例えば、ポリシロキサンを界面活性剤中で乳化することまたは単に例示目的としてあげるが、ヘキサンのような溶剤を補助として溶液としてポリシロキサンを与えることのような方法により、おむつの脚部カフスに有効に配置され得る。おむつの脚部カフスにポリシロキサンエモリエントを与えるための特定の方法は、本明細書で以後より詳細に記述される。
　本発明における使用のための好ましいポリシロキサン化合物は、参照によりここに組み込まれる、１９９１年１０月２２日に発行された米国特許第５，０５９，２８２号（アンプルスキ（Ａｍｐｕｌｓｋｉ）ら）において開示される。本発明のローション組成物におけるエモリエントとしての使用にとって特に好ましいポリシロキサン化合物には、フェニル官能ポリメチルシロキサン化合物（例えば、ダウコーニング５５６コスメチックグレード流体：ポリフェニルメチルシロキサン）、ジメチコン（ｄｉｍｅｔｈｉｃｏｎｅ）化合物、および、それぞれダウ２５０２およびダウ２５０３ポリシロキサン流体のようなセチルまたはステアリル官能ジメコンが含まれる。フェニル官能基またはアルキル基でのその様な置換に加えて、有効な置換は、アミノ、カルボキシル、ヒドロキシル、エーテル、ポリエーテル、アルデヒド、ケトン、アミド、エステル、およびチオール基でなされ得る。これらの有効な置換基の中で、フェニル、アミノ、アルキル、カルボキシル、およびヒドロキシル基を含む官能基の族は他より好ましく、フェニル官能基は最も好ましい。
　石油系エモリエント、脂肪酸エステルエモリエント、脂肪酸エステルエトキシレート、アルキルエトキシレートエモリエント、脂肪アルコールエモリエント、およびポリシロキサンに加えて、本発明において有用なエモリエントは、少量（例えば、全エモリエントの約１０％まで）の他の通常のエモリエントを含み得る。これらの他の通常のエモリエントには、限定はされないが、プロピレングリコール、グリセリン、トリエチレングリコール、鯨ろうまたは他のワックス、ステアリン酸、プロポキシル化脂肪アルコールのようなその脂肪鎖において１２から２８の炭素原子を有する脂肪酸および脂肪アルコールエーテル、Ｃ１２−Ｃ２８脂肪酸のグリセリド、アセトグリセリドおよびエトキシル化グリセリド、ポリヒドロキシアルコールの他の脂肪エステル、ラノリンおよびその誘導体、並びにタラ肝油が含まれる。これらの他のエモリエントは、ローション組成物の固形または半固形特性が維持されるような様式で含まれるべきである。
　ローション組成物において含まれ得るエモリエントの量は、含まれる特定のエモリエント、所望されるローションのような利益、ローション組成物中の他の成分および同様の要因を含むさまざまの要因に依存するであろう。ローション組成物は約１０から約９５％のエモリエントを含み得る。好ましくは、ローション組成物は、約２０から約８０％、最も好ましくは約４０から約７５％のエモリエントを含む。
２．固定剤
　本発明のローション組成物の特に重要な成分は、ローション組成物が与えられるおむつ脚部カフス上のエモリエントを固定することを可能とする薬剤である。組成物中のエモリエントは、２０℃で可塑的または流体コンシステンシーを有するので、穏やかな剪断応力に供されるときでさえそれは流動するかまたは移動する傾向がある。特に溶融状態（ｍｅｌｔｅｄ　ｏｒ　ｍｏｌｔｅｎ　ｓｔａｔｅ）でおむつの脚部カフスに与えられるとき、エモリエントは主に、脚部カフスの表面上にとどまらないであろう。代わりに、エモリエントは、おむつの内部に移動し、流動する傾向があるであろう。
　おむつの内部へのエモリエントの移動は、本発明のローション組成物において用いられる多くのエモリエントの疎水特性によりおむつのコアの吸収性について望ましからぬ影響を引き起こし得る。また、カフスを通ってのローションの移動は、弾性的ギャザーの維持された弾力性について悪影響を有し得ることをも引き起こし得る。それはまた、さらにより多くのエモリエントが、所望の治療的または保護的なローションの利益を得るためにおむつの脚部カフスに与えられねばならないことをも意味する。エモリエントのレベルを増加させることは、コストを増加させるのみならず、おむつのコアの吸収性について、同様に、収縮された、すなわち弾性的なギャザーの性能について望ましからぬ影響をも悪化させる。
　固定剤は、ローション組成物が与えられるおむつの脚部カフスの表面上にエモリエントを主に局在させることにより移動または流動するエモリエントのこの傾向を減殺する。このことは、固定剤は、エモリエントの融点を上回ってローション組成物の融点を上昇させると言う事実に部分的によるものと思われる。固定剤もまたエモリエントと混和性である（適切な乳化剤を補助としてエモリエント中に可溶化される）ので、それは同様におむつの脚部カフスの表面上にエモリエントを捕らえる。
　おむつの脚部カフスの表面上に固定剤を「ロック」することもまた有益である。このことは、脚部カフスの表面で、速やかに結晶化させる（すなわち、固形化する）固定剤を用いることにより達成され得る。加えて、ブロワー、ファンなどを用いて、処理されたおむつの脚部カフスの外側を冷却することで、固定剤の結晶化を加速させ得る。
　エモリエントと混和性である（すなわちその中に可溶化される）ことに加えて、固定剤は、少なくとも約３５℃の融点を有する必要がある。固定剤それ自体は移動または流動する傾向を有さないと言うこのことはそのとおりである。好ましい固定剤は少なくとも約４０℃の融点を有するであろう。典型的には、固定剤は、約５０°から約１５０℃の範囲における融点を有するであろう。
　本発明にとって適切な固定剤は、Ｃ１４−Ｃ２２脂肪アルコール、Ｃ１２−Ｃ２２脂肪酸、および２から約３０の範囲を取る平均エトキシル化度を有するＣ１２−Ｃ２２脂肪アルコールエトキシレート並びにそれらの混合物からなる群より選択される成員を含み得る。好ましい固定剤にはＣ１６〜Ｃ１８脂肪アルコールが含まれ、最も好ましくは、セチルアルコール、ステアリルアルコール、およびそれらの混合物からなる群より選択される。セチルアルコールとステアリルアルコールの混合物が特に好ましい。他の好ましい固定剤にはＣ１６〜Ｃ１８脂肪酸が含まれ、最も好ましくは、パルミチン酸、ステアリン酸およびそれらの混合物からなる群より選択される。パルミチン酸とステアリン酸の混合物は特に好ましい。さらに他の好ましい固定剤には、約５から約２０の範囲を取る平均エトキシル化度を有するＣ１６〜Ｃ１８脂肪アルコールエトキシレートが含まれる。好ましくは、脂肪アルコール、脂肪酸および脂肪アルコールは直鎖である。
　重要なことに、Ｃ１６−Ｃ１８脂肪アルコールのようなこれらの好ましい固定剤は、ローションを基材の表面上に急速に結晶化させるローションの結晶化の速度を増加させる。それゆえ、より少ないローションのレベルで利用され得るかまたはより優れたローションの感触が与えられ得る。伝統的には、より多くの量のローションが、おむつのコアへのこれらの液体の流動のために柔軟性を発生させるために必要とされた。
　他のタイプの固定剤が、単独でかまたは上記の脂肪アルコール、脂肪酸および脂肪アルコールエトキシレートと併用でのいずれかで、用いられ得る。これらの他のタイプの固定剤の例には、ポリヒドロキシ脂肪酸エステル、ポリヒドロキシ脂肪酸アミド、およびそれらの混合物が含まれる。好ましいエステルおよびアミドは、ポリヒドロキシ部分について３以上の遊離水酸基を有し、典型的に性質上ノニオン性である。ローション組成物が適用されるおむつの脚部カフスを用いるものの可能な皮膚の感受性のために、これらのエステルおよびアミドもまた比較的穏やかで皮膚に対して刺激のないものであるべきである。
　本発明における使用にとって適切なポリヒドロキシ脂肪酸エステルは、式
（式中、Ｒは、Ｃ５−Ｃ３１炭化水素基、好ましくは直鎖Ｃ７−Ｃ１９アルキルまたはアルケニル、より好ましくは直鎖Ｃ９−Ｃ１７アルキルまたはアルケニル、最も好ましくは直鎖Ｃ１１−Ｃ１７アルキルまたはアルケニルまたはそれらの混合物であり、Ｙは、鎖に直接結合する少なくとも２基の遊離水酸基を有する炭化水素鎖を有するポリヒドロキシ炭化水素部分であり、ｎは少なくとも１である）を有する。適切なＹ基は、グリセロール、ペンタエリスリトールのようなポリオール、ラフィノース、マルトデキストロース、ガラクトース、シュークロース、グルコース、キシロース、フルクトース、マルトース、ラクトース、マンノースおよびエリスロースのような糖、エリスリトール、キシリトール、マリトール、マンニトールおよびソルビトールのような糖アルコール、並びにソルビタンのような糖アルコールの無水物から誘導され得る。
　本発明における使用にとって適切なポリヒドロキシ脂肪酸エステルの１つのクラスには、ある種のソルビタンエステル、好ましくはＣ１６−Ｃ２２飽和脂肪酸のソルビタンエステルが含まれる。それらが典型的に製造される様式のために、これらのソルビタンエステルは通常、モノ、ジ、トリなどのエステルの混合物を含む。適切なソルビタンエステルの代表例には、ソルビタンパルミテート（例えば、ＳＰＡＮ４０）、ソルビタンステアレート（例えば、ＳＰＡＮ６０）、およびソルビタンベヘネートが含まれ、それらは、例えば、ソルビタンモノ、ジおよびトリパルミテート、ソルビタンモノ、ジおよびトリステアレート、ソルビタンモノ、ジおよびトリベヘネート並びに混合された獣脂脂肪酸ソルビタンモノ、ジおよびトリエステルのようなそれらのソルビタンエステルの１以上のモノ、ジおよびトリエステルバージョンを含む。ソルビタンステアレートを有するソルビタンパルミテートのような異なるソルビタンエステルの混合物もまた用いられ得る。特に好ましいソルビタンエステルは、典型的にはＳＰＡＮ６０のようなモノ、ジおよびトリエステル（加えて一部にテトラエステル）の混合物としてのソルビタンステアレートおよびロンザ（Ｌｏｎｚａ），Ｉｎｃ．により商品名グリコマル（ＧＬＹＣＯＭＵＬ）−Ｓの下で販売されるソルビタンステアレートである。これらのソルビタンエステルは、典型的にモノ、ジおよびトリエステル、加えて一部にテトラエステルの混合物を含むけれども、モノおよびジエステルが通常、これらの混合物中の主要種である。
　本発明における使用のために適切なポリヒドロキシ脂肪酸エステルのもう１つのクラスは、ある種のグリセリルモノエステル、好ましくは、グリセリルモノステアレート、グリセリルモノパルミテート、およびグリセリルモノベヘネートのようなＣ１６−Ｃ２２飽和脂肪酸のグリセリルモノエステルを含む。やはり、ソルビタンエステルと同様に、グリセリルモノエステル混合物は、典型的に、一部にジおよびトリエステルを含むであろう。しかしながら、その様な混合物は、本発明において有用である様に、主にグリセリルモノエステル種を含むべきである。
　本発明における使用にとって適切なポリヒドロキシ脂肪酸エステルのもう１つのクラスは、ある種のシュークロース脂肪酸エステル、好ましくはシュークロースのＣ１２−Ｃ２２飽和脂肪酸エステルを含む。シュークロースモノエステルおよびジエステルは特に好ましく、シュークロースモノおよびジステアレートおよびシュークロースモノおよびジラウレートを含む。
　本発明における使用にとって適切なポリヒドロキシ脂肪酸アミドは式
（式中、Ｒ１は、Ｈ、Ｃ１〜Ｃ４炭化水素、２−ヒドロキシエチル、２−ヒドロキシプロピル、メトキシエチル、メトキシプロピルまたはそれらの混合物、好ましくはＣ１〜Ｃ４アルキル、メトキシエチルまたはメトキシプロピル、より好ましくはＣ１またはＣ２アルキルまたはメトキシプロピル、最も好ましくはＣ１アルキル（すなわちメチル）またはメトキシプロピルであり、Ｒ２は、Ｃ５〜Ｃ３１炭化水素基、好ましくは直鎖Ｃ７〜Ｃ１９アルキルまたはアルケニル、より好ましくは直鎖Ｃ９〜Ｃ１７アルキルまたはアルケニル、最も好ましくは直鎖Ｃ１１〜Ｃ１７アルキルまたはアルケニルまたはそれらの混合物であり、Ｚは、鎖に直接結合する少なくとも３基の水酸基を有する直鎖炭化水素鎖を有するポリヒドロキシ炭化水素部分である。）を有する。それらのポリヒドロキシ脂肪酸アミド並びにそれらの調製法を開示する１９９２年１２月２９日に発行された米国特許第５，１７４，９２７号（ホンザ（Ｈｏｎｚａ））（参照によりここに組み込まれる）を参照のこと。
　Ｚ部分は好ましくは、還元的アミノ化反応で還元糖から誘導され、最も好ましくはグリシチル（ｇｌｙｃｉｔｙｌ）から誘導される。適切な還元糖には、グルコース、フルクトース、マルトース、ラクトース、ガラクトース、マンノースおよびキシロースが含まれる。高濃度デキストロースコーンシロップ、高濃度フルクトースコーンシロップおよび高濃度マルトースコーンシロップ並びに上記の個々の糖が利用され得る。これらのコーンシロップは、Ｚ部分のための糖成分の混合物を産生し得る。Ｚ部分は好ましくは、−ＣＨ２−（ＣＨＯＨ）ｎ−ＣＨ２ＯＨ、−ＣＨ（ＣＨ２ＯＨ）−［（ＣＨＯＨ）ｎ−１］−ＣＨ２ＯＨ、−ＣＨ２ＯＨ−ＣＨ２−（ＣＨＯＨ）２（ＣＨＯＲ３）（ＣＨＯＨ）−ＣＨ２ＯＨ（式中、ｎは３から５の整数であり、Ｒ３は、Ｈまたは環状もしくは脂肪族モノサッカライドである）からなる群より選択される。最も好ましいものはｎが４であるグリシチルであり、特に−ＣＨ２−（ＣＨＯＨ）４−ＣＨ２ＯＨである。
　上記式において、Ｒ１は例えば、Ｎ−メチル、Ｎ−エチル、Ｎ−プロピル、Ｎ−イソプロピル、Ｎ−ブチル、Ｎ−２−ヒドロキシエチル、Ｎ−メトキシプロピルまたはＮ−２−ヒドロキシプロピルであり得る。Ｒ２は、例えば、コカミド、ステアラミド、オレアミド、ラウラミド、ミリスタミド、カプリカミド、パルミタミド、タロウアミドなどを与えるように選択され得る。Ｚ部分は、１−デオキシグルシチル、２−デオキシフルクチチル、１−デオキシマルチチル、１−デオキシラクチチル、１−デオキシガラクチチル、１−デオキシマンニチル、１−デオキシマルトトリオチチルなどであり得る。最も好ましいポリヒドロキシ脂肪酸アミドは一般式
（式中、Ｒ１はメチルまたはメトキシプロピルであり、Ｒ２はＣ１１〜Ｃ１７直鎖アルキルまたはアルケニル基である）を有する。それらは、Ｎ−ラウリル−Ｎ−メチルグルカミド、Ｎ−ラウリル−Ｎ−メトキシプロピルグルカミド、Ｎ−ココイル−Ｎ−メチルグルカミド、Ｎ−ココイル−Ｎ−メトキシプロピルグルカミド、Ｎ−パルミチル−Ｎ−メトキシプロピルグルカミド、Ｎ−タロウイル−Ｎ−メチルグルカミド、またはＮ−タロウイル−Ｎ−メトキシプロピルグルカミドを含む。
　上記の様に、固定剤の一例は、エモリエント中で可溶化するための乳化剤を必要とする。このことは特に、少なくとも約７のＨＬＢ値を有するＮ−アルキル−Ｎ−メトキシプロピルグルカミドのようなある種のグルカミドについての場合である。適切な乳化剤は、典型的に、約７を下回るＨＬＢ値を有するものを含むであろう。この点において、約４．９以下のＨＬＢ値を有するソルビタンステアレートのような上記のソルビタンエステルは、ペトロラタム中にそれらのグルカミド固定剤を可溶化することにおいて有用であることが見出された。他の適切な乳化剤には、ステアレス−２（式ＣＨ３（ＣＨ２）１７（ＯＣＨ２ＣＨ２）ｎＯＨ（式中ｎは２の平均値を有する）に一致するステアリルアルコールのポリエチレングリコールエーテル）、ソルビタントリステアレート、イソソルバイドラウレート、およびグリセリルモノステアレートが含まれる。乳化剤は、実質的に均質な混合物が得られるように、エモリエント中に固定剤を可溶化するのに十分な量で含まれ得る。例えば、通常は単相の混合物に溶解しないであろうＮ−ココイル−Ｎ−メチルグルカミドとペトロラタムとのほぼ１：１の混合物は、乳化剤としてステアレス−２とソルビタントリステアレートとの１：１混合物を２０％加える際に単相の混合物に溶解するであろう。
　単独でかまたは上記固定剤と併用でかのいずれかで固定剤として用いられ得る他のタイプの成分には、カルナウバ、、ビーズワックス、キャンデリア、パラフィン、セレシン、エスパルト、ウーリキュリ（ｏｕｒｉｃｕｒｉ）、レゾワックス（ｒｅｚｏｗａｘ）、および他の公知のワックスのようなワックスが含まれる。好ましくは、ワックスはパラフィンワックスである。特に好ましいパラフィンワックスの例は、Ｐ．Ｏ．Ｂｏｘ１０９８ウエストバビロン（Ｗｅｓｔ　Ｂａｂｙｌｏｎ）、ニューヨーク１１７０４のストラール・アンド・ピッチュ（Ｓｔｒａｈｌ　ａｎｄ　Ｐｉｔｓｃｈ）Ｉｎｃ．由来のパラフィンＳ．Ｐ．４３４である。
　ローション組成物中に含まれるべき固定剤の量は、含まれる特定のエモリエント、含まれる特定の固定剤、エモリエント中に固定剤を可溶化するのに乳化剤が必要とされるかどうか、ローション組成物中の他の成分および同様の要因を含むさまざまの要因に依存するであろう。ローション組成物は、約５から約９０％の固定剤を含み得る。好ましくは、ローション組成物は、約５から約５０％、最も好ましくは約１０から約４０％の固定剤を含む。
３．任意の親水性界面活性剤
　本発明のローション組成物において用いられる特定の固定剤に依存して、付加的な親水性界面活性剤（または親水性界面活性剤の混合物）が任意に、ローションの処理性（ｐｒｏｃｅｓｓａｂｉｌｉｔｙ）および／または安定性を向上させるために用いられ得る。
　適切な親水性界面活性剤は、均質混合物を形成するようにエモリエントと固定剤とに混和性を有するであろう。ローション組成物が適用される使い捨て吸収製品を用いるものの可能な皮膚感受性のために、これらの界面活性剤もまた比較的穏やかで皮膚に対して刺激がないものであるべきである。典型的には、これらの親水性界面活性剤は、皮膚に対して刺激がないのみならず、例えば引張り強度における減少のような、いずれの下にあるティッシュラミネート構造についても他の望ましからぬ影響を避けるためにノニオン性である。
　適切なノニオン性界面活性剤は、ローション組成物がおむつの脚部カフスに適用されて後に実質的に非移動性であり、典型的に約４から約２０、好ましくは約７から約２０の範囲におけるＨＬＢ値を有するであろう。非移動性であるために、これらのノニオン性界面活性剤は、典型的に、例えば少なくとも約３０℃のような、貯蔵、船積み、販売、および使い捨て吸収製品の使用の間に一般的に遭遇する温度を超える溶融温度を有するであろう。この点において、これらのノニオン性界面活性剤は、好ましくは、上記固定剤の融点と同様の融点を有するであろう。
　本発明のローション組成物における使用のために適切なノニオン性界面活性剤には、アルキルグリコシド、１９７７年３月８日に発行された米国特許第４，０１１，３８９号（ランドン（Ｌａｎｄｏｎ）ら）において記載されるアルキルグリコシドエーテル、ペゴスパース（Ｐｅｇｏｓｐｅｒｓｅ）１０００ＭＳ（ニュージャージー州フェアローン（Ｆａｉｒ　Ｌａｗｎ）のロンザ，Ｉｎｃ．から入手可能）のようなアルキルポリエトキシル化エステル、ＴＷＥＥＮ６０（約２０の平均エトキシル化度を有するステアリン酸のソルビタンエステル）およびＴＷＥＥＮ６１（約４の平均エトキシル化度を有するステアリン酸のソルビタンエステル）のような約２から約２０、好ましくは約２から約１０の平均エトキシル化度を有するＣ１２〜Ｃ１８脂肪酸のエトキシル化ソビタンモノ、ジおよび／またはトリエステルならびに約１から約５４モルのエチレンオキサイドと脂肪族アルコールとの縮合生成物が含まれる。脂肪族アルコールのアルキル鎖は、典型的には直鎖（リニア）形状にあり、約８から約２２の炭素原子を含む。特に好ましいものは、アルコールのモル当たり約２から約３０モルのエチレンオキサイドと約１１から約２２の炭素原子を含むアルキル基を有するアルコールとの縮合生成物である。その様なエトキシル化アルコールの例には、アルコールのモル当たり７モルのエチレンオキサイドとミリスチルアルコールとの縮合生成物、約６モルのエチレンオキサイドとココナッツアルコール（１０から１４炭素原子の長さで変化するアルキル鎖を有する脂肪アルコールの混合物）との縮合生成物が含まれる。ユニオン・カーバイド・コーポレーションにより販売されるタージトール（ＴＥＲＧＩＴＯＬ）１５−Ｓ−９（９モルのエチレンオキサイドとＣ１１〜Ｃ１５直鎖アルコールとの縮合生成物）、ザ・プロクター＆ギャンブルＣｏ．により販売されるＫＹＲＯ　ＥＯＢ（９モルのエチレンオキサイドとＣ１３〜Ｃ１５直鎖アルコールとの縮合生成物）、特にネオドール（ＮＥＯＤＯＬ）２５−１２（１２モルのエチレンオキサイドとＣ１２〜Ｃ１５直鎖アルコールとの縮合生成物）およびネオドール２３−６．５Ｔ（ある種の不純物を除去するために蒸留された（常圧蒸留された）６．５モルのエチレンオキサイドとＣ１２〜Ｃ１３直鎖アルコールとの縮合生成物）であるシェル・ケミカルＣｏ．により販売されるネオドール商標の界面活性剤、ならびに特にプルラファック（ＰＬＵＲＡＦＡＣ）Ａ−３８（２７モルのエチレンオキサイドとＣ１８直鎖アルコールとの縮合生成物）であるＢＡＳＦ　Ｃｏｒｐ．により販売される、特にプルラファック商標の界面活性剤を含む多数の適切なエトキシル化アルコールが商業的に入手可能である。（ある種の親水性界面活性剤、特にネオドール２５−１２のようなエトキシル化アルコールはアルキルエトキシレートエモリエントとしてもまた機能し得る。）好ましいエトキシル化アルコール界面活性剤の他の例には、ＩＣＩのクラスのブリッジ（Ｂｒｉｊ）界面活性剤およびその混合物が含まれ、ブリッジ７２（すなわちステアレス−２）およびブリッジ７６（すなわちステアレス−１０）が特に好ましい。また、約１０から約２０の平均エトキシル化度にエトキシル化されたセチルアルコールとステアリルアルコールとの混合物もまた親水性界面活性剤として用いられ得る。
　本発明における使用のためのもう１つのタイプの適切な界面活性剤には、アメリカン・サイアナミッド・カンパニーにより販売されるスルホコハク酸ナトリウムのジオクチルエステルであるエアロゾル（Ａｅｒｏｓｏｌ）ＯＴが含まれる。
　本発明における使用のためのさらにもう１つのタイプの適切な界面活性剤には、ゼネラル・エレクトリックＳＦ１１８８（ポリジメチルシロキサンとポリオキシアルキレンエーテルとの共重合体）およびゼネラル・エレクトリックＳＦ１２２８（シリコーンポリエーテル共重合体）のようなシリコーン共重合体が含まれる。これらのシリコーン界面活性剤は、エトキシル化アルコールのような上記の他のタイプの親水性界面活性剤と併用して用いられ得る。これらのシリコーン界面活性剤は、ローション組成物の０．１重量％ほどの低さで、より好ましくは約０．２５から約１．０重量％の濃度で有効であることが見出された。
　ローション組成物の処理性および／または安定性を向上させるために必要とされる親水性界面活性剤の量は、用いられるエモリエントおよび固定剤のタイプ、用いられる界面活性剤のＨＬＢ値および同様の要因に依存するであろう。本発明のローション組成物は任意に、約１から約５０重量％の親水性界面活性剤、より好ましくは約１から約２５重量％の親水性界面活性剤を含み得る。
４．他の任意の成分
　ローション組成物は、このタイプのエモリエント、クリーム、およびローションにおいて典型的に存在する他の任意の成分を含み得る。これらの任意の成分には、水、粘度改変剤、香料、殺菌抗菌活性成分、薬学的活性成分、フィルムフォーマー、ビタミン（例えば、ビタミンＥ）、消臭剤、乳白剤、アストリンゼン、溶剤などが含まれる。酸化亜鉛、カラミン、およびアラントインのような材料は、刺激（ｉｒｒｉｔａｔｉｏｎ）およびおむつかぶれから皮膚を保護することを補助するためにもまた用いられ得る。加えて、セルロース誘導体、タンパク質およびレシチンのような安定化剤がローション組成物の保存寿命を長くするために加えられ得る。これらの材料の全てが、その様な製剤化のための添加剤として当該技術において周知であり、本発明のローション組成物において適切な量で用いられ得る。加えて、約０．１重量％から約２０重量％の量のアロエ抽出物は、本明細書で開示されるローション組成物のための好ましい任意成分である。
Ｃ．ローション組成物によるおむつの脚部カフスの処理
　本発明によるローションを付されたおむつ製品の製造において、ローション組成物は、好ましくは、おむつの脚部カフスの身体接触表面（すなわち、身体に面する表面）に適用される。ここで定義されるものとして、バリヤ脚部カフスの身体接触表面は通常外側表面であり、ガスケット脚部カフスの身体接触表面は通常前方表面である。しかしながら、ローションはカフス材料の一部を貫通し得るものであり、それで、脚部カフスの着衣接触表面（すなわち、バリヤ脚部カフス内側表面および／またはガスケット脚部カフス後方表面）にローションを適用することもまた、明白に本発明の範囲内にある。
　溶融または液体コンシステンシーを有する潤滑材料を均等に分布させるさまざまの適用方法のいずれもが用いられ得る。適切な方法には、スプレー、印刷（例えば、フレキソ印刷）、コーティング（例えば、グラビアまたはスロットコーティング）、押し出し、または、例えば、そのときに組成物をおむつの脚部カフスの身体接触表面に移動させるカレンダーロールのような回転表面上にローション組成物をスプレーすることのような、それらの適用技術の組み合わせが含まれる。もし所望であれば、ローションは、カフスの疎水性を向上させるためにカフスの両側にもまた適用され得る。
　おむつの脚部カフスへのローション組成物の適用の様式は、脚部カフスがローション組成物で飽和するようにならないようにするべきである。もし脚部カフスがローション組成物で飽和されるようになるならば、下にある吸収性コアの吸収性に不利益な影響を有し得る、ローションがおむつの内部に移動する潜在性をより大きくする。また、脚部カフスの飽和は、治療的および／または保護的なローションの利益を得ることを必要としない。特に適切な適用方法は、ローション組成物を主におむつの脚部カフスの身体接触表面に適用するであろう。しかしながら、ローションはカフス材料の一部を貫通し得るので、それで、ローションを脚部カフスの着衣接触表面に適用することもまた本発明の範囲に入る。
　おむつの脚部カフスに適用されるローションの最小レベルは、カフスが着用者の皮膚に接触する領域におけるカフスと皮膚のとの間の摩擦を減少させるのに有効な最小量であり、それにより皮膚の刺激はより小さくなる。ローションは、着用者の皮膚に対するＢＭの粘着を減少させることもおいてもまた有効である。もちろん、ローションコーティングの有効量は、大きな程度まで、用いられる特定のローション組成物に依存するであろう。ローション組成物は、好ましくは、約０．１ｍｇ／ｉｎ２から約５０ｍｇ／ｉｎ２、より好ましくは、約１ｍｇ／ｉｎ２から約２５ｍｇ／ｉｎ２（コーティングされた脚部カフスの平方インチ当りのローションのｍｇ）の範囲の量のおいて本発明のおむつの脚部カフスに適用される。エモリエントは脚部カフスの表面上に実質的に固定されるので、所望のスキンケアの利益を与えるためにより少ないローション組成物が必要とされる。そのような比較的少ないレベルのローション組成物は、脚部カフスに所望の治療的および／または保護的なローションの利益を与えるのに適切である。
　ローション組成物は、脚部カフスまたはその部分のいずれかまたは両方の表面に均等かつ均一に（ｅｖｅｎｌｙ　ａｎｄ　ｕｎｉｆｏｒｍｌｙ）適用され得る。ローションコーティングはまたパターン化され得る。（すなわち、ストライプ、ボックス、点、螺旋など）好ましくは、ローション組成物は、使用時に着用者と最も接触し、それぞれのカフスの縦側中心線と並び、それに集中するストライプとして与えられる脚部カフスの領域にそろえられる。最も好ましくは、本明細書で以前例において記載されているように、ローション組成物は、例えば、バリヤ脚部カフスの内側表面のクロッチ部分において一般的に配置される１．４インチ幅（おむつの横方向）および１１．７５インチ長（おむつの縦方向）のパッチのようなバリヤ脚部カフスの分離した部分にストライプとして与えられる。
　ローション組成物は、また、おむつの脚部カフスのいずれかまたは両方の表面に不均一に適用され得る。「不均一」により、ローション組成物の量、分布のパターンなどが脚部カフス表面にわたって変化し得ることが意味される。例えば、脚部カフスの処理表面の一部の部分は、それについて少しもローション組成物を有しない表面の部分を含んで、より多くの量またはより少ない量のローション組成物を有し得る。
　ローション組成物は、組み立て（アセンブリ）の間のいずれの点においても脚部カフスに適用され得る。例えば、ローション組成物は、パッケージングされる前に、仕上られた使い捨て吸収製品の脚部カフスに適用され得る。ローション組成物は、仕上られた使い捨て吸収製品を形成する他の原材料と組み合わせられる前にもまた脚部カフスに適用され得る。
　ローション組成物は典型的には、おむつの脚部カフスにその溶融物から適用される。ローション組成物は周囲温度より有意に高い温度で溶融するので、それは通常脚部カフスに加熱されたコーティングとして適用される。典型的には、ローション組成物は、おむつの脚部カフスに適用される前に、約３５℃から約１００℃、好ましくは約４０°から約９０℃の範囲における温度に加熱される。一旦溶融したローション組成物がおむつの脚部カフスに適用されると、それは、脚部カフスの表面上に固形化されたコーティングまたはフィルムを形成するように冷却および固形化させられる。好ましくは、アプリケーションプロセスは、ローションの冷却／設定（ｓｅｔ　ｕｐ）において補助するように設計される。
　本発明のローション組成物のおむつの脚部カフスへの適用において、スロットコーティング、押し出しコーティング、グラビアコーティング、およびスプレー法が好ましい。図５は、改造（ｃｏｎｖｅｒｔｉｎｇ）操作の間のおむつのバリヤ脚部カフスへのローション組成物の連続的または断続的接触スロットコーティングを含む好ましい方法を例示する。図５を参照すると、コンベアベルト１は、回転ロール３および４上を矢印により示される方向に前進し、反転するコンベアベルト２となる。コンベアベルト１は、ローションを付されていないおむつ５を接触スロットコーティングステーション６に運び、そこでバリヤ脚部カフスパッチ７が温熱溶融（例えば６５℃）ローション組成物でコーティングされる。スロットコーティングステーション６を離れた後に、ローションを付されていないおむつ５は、ローションを付されたバリヤ脚部カフスを有するローションを付されたおむつ８となる。バリヤ脚部カフスパッチ７に移動するローション組成物の量は、（１）溶融ローション組成物が接触スロットコーティングステーション６から与えられる速度（ｒａｔｅ）および／または（２）コンベアベルト１がスロットコーティングステーション６の下を動く速度（ｓｐｅｅｄ）により制御される。
　図６は、脚部カフスが他の原材料と最終製品に組み立てられる前におむつのバリヤ脚部カフス上にローション組成物を接触スロットコーティングすることを含む別の好ましい方法を例示する。図６を参照すると、不織バリヤ脚部カフスウエブ１は、親バリヤ脚部カフスロール２（矢印２ａにより示される方向に回転する）から解かれ、接触スロットコーティングステーション６に前進し、そこでウエブの一方の側が温熱溶融（例えば、６５℃）ローション組成物でコーティングされる。スロットコーティングステーション６を離れた後に、不織バリヤ脚部カフスウエブ１は、３により示されるローションを付されたバリヤ脚部カフスウエブとなる。ローションを付されたバリヤ脚部カフスウエブ３は次いで、回転ロール４および回転ロール８の回りを前進し、次いで、ローションを付されたバリヤ脚部カフスの親ロール１０（矢印１０ａにより示される方向に回転する）上で巻き取られる。本発明によるローションを付されたおむつのバリヤ脚部カフスの製造の具体的例示
　以下の記載は、本発明によるローション組成物によるおむつのバリヤ脚部カフスの処理の具体的例示である。
例１
Ａ．ローション組成物の調製
　水分のないローション組成物（ローションＡ）が、以下の溶融（すなわち液体）成分、すなわち、鉱油（ウィトコ（Ｗｉｔｃｏ）Ｃｏｒｐ．により製造されるカーネーション・ホワイト・ミネラル・オイル、ＵＳＰ）、セテアリルアルコール（名称ＴＡ−１６１８の下でプロクター＆ギャンブル・カンパニーにより製造される混合直鎖Ｃ１６−Ｃ１８第１アルコール）、およびステアレス−２（ブリッジ７２、ＩＣＩアメリカにより製造される２の平均エトキシル化度を有するＣ１８直鎖アルコールエトキシレート）を互いに混合することにより作られる。これらの成分の重量パーセンテージは、以下の表Ｉにおいて示される。
Ｂ．ホットメルトコーティングによるローションを付されたおむつの脚部カフスの製造
　ローション組成物Ａは、１７０°Ｆの温度で操業する加熱されたタンクに配置される。組成物は続いて、コンタクトアプリケーター（すなわち、１７０°Ｆの温度で操業するメルテックス（Ｍｅｌｔｅｘ）ＥＰ４５ホットメルト接着剤アプリケーターヘッド）により、パッチが脚部カフスの収縮領域に集中する１．４インチ幅（おむつ横方向）および１１．７５インチ長（おむつ縦方向）の領域においておむつのバリヤ脚部カフスの外側表面上に適用される。付着レベル＝０．０１１６ｇ／ｉｎ２（１８．０ｇ／ｍ２）。
例２
　ローション組成物Ａ（例１における手順により調製される）は、続いて、それぞれの脚部カフスの縦側中心線上に集中し、脚部カフスの全長に伸びる１．４インチ幅（おむつの横方向）のストライプにおいておむつのバリヤ脚部カフスの外側表面上に適用される。付着レベル＝０．０１１６ｇ／ｉｎ２（１８ｇ／ｍ２）。
例３
　ローション組成物Ａ（例１における手順により調製された）は、続いて、パッチが脚部カフスの収縮領域において集中する、それぞれの脚部カフスの縦側中心線上に集中する１．４インチ幅（おむつの横方向）および１１．７５インチ長（おむつの縦方向）領域のストライプにおけるおむつのバリヤ脚部カフスの外側表面上に適用される。付着レベル＝０．００７７ｇ／ｉｎ２（１２．０ｇ／ｍ２）。
例４　
Ａ．ローション組成物の調製
　水分のないローション組成物（ローションＢ）が、以下の溶融（すなわち液体）成分、すなわち、鉱油（ウィトコＣｏｒｐ．により製造されるカーネーション・ホワイト・ミネラル・オイル、ＵＳＰ）、およびセテアリルアルコール（名称ＴＡ−１６１８の下でザ・プロクター＆ギャンブル・カンパニーにより製造される混合直鎖Ｃ１６−Ｃ１８第１アルコール）を互いに混合することにより製造される。これらの成分の重量パーセンテージは以下の表ＩＩにおいて示される。
Ｂ．ホットメルトコーティングによるローションを付された脚部カフスの製造
　ローション組成物Ｂは、１７０°Ｆの温度で操業する加熱されたタンクに配置される。組成物は続いて、コンタクトアプリケーター（すなわち、１７０°Ｆの温度で操業するメルテックスＥＰ４５ホットメルト接着剤アプリケーターヘッド）により、パッチが脚部カフスの収縮領域に集中する１．４インチ幅（おむつの横方向）および１１．７５インチ長（おむつの縦方向）領域におけるおむつのバリヤ脚部カフス上に適用される。付着レベル＝０．０１１６ｇ／ｉｎ２（１８．０ｇ／ｍ２）。
例５
Ａ．ローション組成物の調製
　水分のないローション組成物（ローションＣ）は、以下の溶融（すなわち液体）成分、すなわち、ホワイト・プロトペット（Ｗｈｉｔｅ　Ｐｒｏｔｏｐｅｔ）（登録商標）１Ｓ（ウィトコＣｏｒｐ．により製造される白色ペトロラタム）、ステアリルアルコール（名称ＣＯ−１８９７Ｂの下でザ・プロクター＆ギャンブル・カンパニーにより製造される直鎖Ｃ１８第１アルコール）、およびケイドール（Ｋａｙｄｏｌ）（ドクター・メイディス・ラボレートリーズ（Ｄｒ．Ｍａｄｉｓ　Ｌａｂｏｒａｔｏｒｉｅｓ），Ｉｎｃ．により製造されるアロエ抽出物）を有するベラジェル（Ｖｅｒａｇｅｌ）１：１リポイドを互いに混合することにより製造される。それらの成分の重量パーセンテージは以下の表ＩＩＩにおいて示される。
ホットメルトコーティングによるローションを付されたおむつの製造
　ローション組成物Ｃは、１７０°Ｆの温度で操業する加熱されたタンクに配置される。組成物は続いて、コンタクトアプリケーター（すなわち、１７０°Ｆの温度で操業するメルテックスＥＰ４５ホットメルト接着剤アプリケーターヘッド）により、パッチが脚部カフスの収縮領域に集中する１．４インチ幅（おむつの横方向）および１１．７５インチ長（おむつの縦方向）領域におけるおむつのバリヤ脚部カフス上に適用される。付着レベル＝０．０１１６ｇ／ｉｎ２（１８．０ｇ／ｍ２）。
例６
Ａ．ローション組成物の調製
　水分のないローション組成物（ローションＤ）は、以下の溶融（すなわち液体）成分、すなわち、ホワイト・プロトペット（登録商標）１Ｓ（ウィトコＣｏｒｐ．により製造される白色ペトロラタム）、セテアリルアルコール（名称ＴＡ−１６１８の下でザ・プロクター＆ギャンブル・カンパニーにより製造される混合直鎖Ｃ１６〜Ｃ１８第１アルコール）、ＩＣＩアメリカにより製造される１０の平均エトキシル化度を有するＣ１６〜Ｃ１８直鎖アルコールエトキシレートであるセテアレス１０、およびケイドール（ドクター・メイディス・ラボレートリーズ，Ｉｎｃ．により製造される鉱油中のアロエ抽出物）を有するベラジェル１：１リボイドを互いに混合することにより製造される。それらの成分の重量パーセンテージは、以下の表ＩＶにおいて示される。
Ｂ．ホットメルトコーティングによるローションを付されたおむつの製造
　ローション組成物Ｄは、１７０°Ｆの温度で操業する加熱されたタンクに配置される。組成物は続いて、コンタクトアプリケーター（すなわち、１７０°Ｆの温度で操業するメルテックスＥＰ４５ホットメルト接着剤アプリケーターヘッド）により、バッチが脚部カフスの収縮領域に集中する１．４インチ幅（おむつの横方向）および１１．７５インチ長（おむつの縦方向）の領域におけるおむつのバリヤ脚部カフス上に適用される。付着レベル＝０．０１１６ｇ／ｉｎ２（１８．０ｇ／ｍ２）。